(57)【要約】【課題】  球抜き操作を容易に行い得る一方、誤操作による遊技球の飛散を有効に防止できる球抜き機構を提供する。【解決手段】  遊技機ＰＭの前面に突出して設けられた下球皿構造体２０に、上方に開口して遊技機から払い出された遊技球を貯留する下球皿２３と、球抜き口の背面側に水平変位可能に配設され球抜き口を開閉する弁体と、弁体の変位操作を行う操作部材とを備え、操作部材の操作部２３５が下球皿２３の左側における球皿構造体２０の底面側に前後方向にスライド操作可能に設けられ、操作部２３５をスライド操作したときに弁体が水平変位して球抜き口を開閉するように球抜き機構ＢＭ２を構成する。【選択図】  図１７
2005073971.tif 000002
【特許請求の範囲】
【請求項１】
遊技機の前面に突出して設けられた球皿構造体に、
底部に球抜き口を有し上方に開口する皿部内に遊技球を貯留する球皿と、
前記球抜き口の背面側に水平変位可能に配設され前記球抜き口を開閉する弁体と、
前記弁体の変位操作を行う操作部材とを備え、
前記操作部材の操作部が前記球皿の左側における前記球皿構造体の底面側に前後方向にスライド操作可能に設けられ、前記操作部をスライド操作したときに前記弁体が水平変位して前記球抜き口を開閉するように構成したことを特徴とする遊技機の球抜き機構。
【発明の詳細な説明】
【技術分野】
【０００１】
本発明は、遊技機の前面に突出して設けられた球皿構造体に遊技球を貯留する球皿を備える遊技機の球抜き機構に関する。
【背景技術】
【０００２】
遊技機の前面に突出する球皿構造体を有し、この球皿構造体に球抜き機構を備えた遊技機としてパチンコ機が広く知られている。パチンコ機では、遊技盤を収容保持する前枠の前面下部に前方に突出して下球皿構造体が取り付けられ、この下球皿構造体に遊技球を貯留する下球皿と遊技者の喫煙用の灰皿とが設けられている。下球皿の底部には上下に連通する球抜き口が開口形成されるとともに、球抜き口の背面側に球抜き口を開閉可能に配設された弁体と、この弁体の開閉操作を行う操作部材とを備えた球抜き機構が設けられ、例えば下球皿が満杯状態になりつつあるときや、パチンコ遊技を終了したときに、遊技者が操作部材の操作部を手動操作して球抜き口を開放させ、この球抜き口の下方に用意した球箱に遊技球を落下させて収容できるように構成されている。
【０００３】
このような球抜き機構は、球抜き口の背面側に左右方向または前後方向にスライド移動可能に弁体を設けるとともに、下球皿構造体の前面中央部に弁体を変位操作可能な操作部を設け、操作部を左方向にスライド操作し、あるいは後方（パチンコ機側）に押圧操作したときに弁体が開方向に移動して球抜き口を開放するように構成されていた（例えば、特許文献１を参照）。
【特許文献１】特開平７−３１３７０７号公報
【発明の開示】
【発明が解決しようとする課題】
【０００４】
ところが、従来の球抜き機構における操作部は、一般的に下球皿構造体で最も前方に突出する前面側（正面側）の中央部に遊技者と対峙するように設けられており、例えば遊技者が座席から立ち上がったり着座しようとするとき、あるいは隣接するパチンコ機に放置された球箱を取ろうとして横を向いたときなどに、下球皿構造体にぶつかって操作部をスライドさせあるいは押圧してしまい、遊技球を周囲にまき散らしてしまうことがあるという問題があった。
【０００５】
また、遊技を終了して両手が自由な状態で球抜き操作を行うことは比較的容易にできるが、例えば大当たりの発生中に右手で発射ハンドルを回動操作したまま左手で球抜き操作を行うことが案外面倒であり、特に下球皿と腹部との間隔が狭くなりがちな恰幅のよい遊技者にとって操作しづらいという不満を与えていた。
【０００６】
本発明は上記のような問題に鑑みてなされたものであり、誤操作による遊技球の飛散を有効に防止し得るとともに、恰幅のよい遊技者にとっても操作性の良い球抜き機構を提供することを目的とする。
【課題を解決するための手段】
【０００７】
上記目的達成のため、本発明の球抜き機構では、遊技機の前面に突出して設けられた球皿構造体に、底部に球抜き口を有し上方に開口する皿部内に遊技球を貯留する球皿と、球抜き口の背面側に水平変位可能に配設され球抜き口を開閉する弁体と、弁体の変位操作を行う操作部材とを備えており、操作部材の操作部が球皿の左側における球皿構造体の底面側に前後方向にスライド操作可能に設けられ、操作部をスライド操作したときに弁体が水平変位して球抜き口を開閉するように構成される。
【発明の効果】
【０００８】
このような球抜き機構では、球抜き口の開閉操作を行う操作部が、球皿構造体の底面側に前後方向にスライド操作可能に設けられている。このため、遊技者が座席から立ち上がったり着座しようとするとき、あるいは隣接するパチンコ機に放置された球箱を取ろうとして横を向いたときなどに、たとえ下球皿構造体の前面にぶつかっても操作部が開方向に誤操作されて球抜き口が開放されるようなことがなく、遊技球を周囲にまき散らしてしまうような事態が生じない。
【０００９】
また、操作部が球皿の左側に位置して球皿構造体の底面側に前後方向にスライド操作可能に設けられているため、右手で発射ハンドルを回動操作したまま左手で球抜き操作を簡単に行うことができる。
【００１０】
従って、本発明によれば、誤操作による遊技球の飛散を有効に防止し得るとともに、遊技者にとって操作性の良好な球抜き機構を提供することができる。
【発明を実施するための最良の形態】
【００１１】
以下、本発明を実施するための形態について、添付図面を参照しながら説明する。本発明に係る球抜き機構を備えた遊技機の一例として、図１に第１構成形態の球抜き機構ＢＭ１を備えたパチンコ機ＰＭにおけるガラス扉５および上球皿構造体６を開放した状態の正面図を示しており、まずこの図面を参照してパチンコ機ＰＭの全体概要について説明する。なお、以降では、種々の構成形態の球抜き機構ＢＭについて順次説明してゆくが、パチンコ機本体の基本構成および灰皿構造ＡＴの構成は同様であり、各構成形態におけるパチンコ機ＰＭの正面図、および灰皿構造ＡＴを示す各図では同一部分に同一番号を付して重複説明を省略する。
【００１２】
（パチンコ機の基本構成）
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構により前方に横開き開閉および着脱が可能に取り付けられ、正面右側に設けられた施錠装置４を利用して常には外枠１と係合連結された閉鎖状態に保持される。
【００１３】
前枠２の前面上部には、前枠２の前面域に合わせた方形状のガラス扉５および上球皿構造体６が前方に横開き開閉および着脱可能に取り付けられ、正面右側に設けられた施錠装置４および球皿施錠装置を利用して前枠２の前面を覆う閉鎖状態に保持される。ガラス扉５の背面側に位置する前枠上部には、遊技盤７を着脱可能に収容保持する収容枠が設けられており、この収容枠に遊技盤７が立設姿勢で保持され常には閉鎖施錠されるガラス扉５に前面域を臨ませている。遊技盤７は、所定板厚の積層合板の表面にセルを貼り付けてルーター加工した化粧板を基板とし、帯板状の案内レールに囲まれた略円形の遊技領域内に、多数本の遊技釘とともに風車や各種の入賞具、遊技の展開状況に応じて図柄を表示させる画像表示装置、左右のサイドランプなどの遊技構成部品が取り付けられ、遊技領域の下端部にアウト口が設けられて構成される。
【００１４】
前枠２の下部領域には、遊技盤７の直下に位置して遊技補助盤１０が形成され、遊技盤７に向けて遊技球を発射する遊技球発射装置１１、遊技領域に到達できずに戻ってきたファール球を回収して下球皿に流下させるファール球回収構造１２、遊技の展開状況に応じた効果音を発生させるスピーカ１３などが設けられている。遊技補助盤１０は常には閉鎖施錠される上球皿構造体６に前面が覆われている。遊技補助盤１０の下側には、遊技球発射装置の作動を操作する発射ハンドル１４が設けられるとともに、前方に突出して下球皿構造体２０が取り付けられている。
【００１５】
前枠２の後面側には、裏セット盤が前枠２の後方に横開き開閉可能に取り付けられている。裏セット盤については詳細図示を省略するが、払い出し用の遊技球を貯留する球貯留タンク、球貯留タンクに貯留された遊技球を遊技盤における入賞状態に応じて払い出す球払出装置、球払出装置から払い出された褒賞品としての遊技球を上通出口１６を介して上球皿に導く上球皿払出通路、および上球皿払出通路が充満された状態でさらに球払出装置から遊技球が払い出されたときに溢れ出る遊技球を下通出口１７を介して下球皿２３に導く下球皿払出通路などからなる賞球機構、ならびに入賞具に入賞したセーフ球およびアウト口から回収されたアウト球を遊技島側の回収バスケットに導く遊技済み球排出機構などが設けられている。また裏セット盤の背面には、主基板や払出制御基板などの各種回路基板が取り付けられており、各電装部品がコネクタケーブルで接続されてパチンコ機ＰＭが構成される。
【００１６】
以上のように概要構成されるパチンコ機ＰＭにあって、前枠２の前面下部に突出して設けられた下球皿構造体２０に、上方に開口して遊技球を貯留する下球皿２３と、上面が開口した箱状の灰皿５０を着脱自在に備える灰皿構造ＡＴと、後に詳述する球抜き機構ＢＭとが設けられている。
【００１７】
（灰皿構造ＡＴ１）
図２〜図４の各図に第１構成形態の灰皿構造ＡＴ１を示しており、これらの各図を参照して灰皿構造ＡＴ１について説明する。ここで、図２は灰皿構造ＡＴ１を左斜め前方から見た斜視図、図３は灰皿装着状態における灰皿中央部での側断面図、図４は灰皿着脱時における図３と同様位置の側断面図である。なお、灰皿構造ＡＴ１を含む球抜き機構ＢＭ１ａの正面図を図９に、背面図を図１０に、平面図を図１１に示しており、これらの図面も適宜参照しながら説明する。
【００１８】
灰皿構造ＡＴ１は、その構成を大別すると、灰皿５０と、この灰皿５０を収容保持する収容凹部６０とからなる。灰皿５０は全体として上面開放の箱状で、前縁側が下球皿構造体２０の外形輪郭線に合わせた円弧状に形成され、例えばメラミン樹脂やフェノール樹脂などの耐熱性を有する熱硬化性樹脂を加工成型し、若しくはアルミ合金等の金属材料をダイキャスト等により加工成形し、または樹脂材料で加工成形した本体部に薄板ステンレス鋼板等をプレス成形した容体部を嵌着固定するなどして図示する形態に形成される。吸い殻を収容する容体部は、前方が比較的浅く後方に向けて緩やかに深くなるもみ消し部５１と、もみ消し部５１の後方に一段深く形成された吸い殻貯留部５２との２段構成になっている。容体部５１，５２の上部には前後左右に拡開されて額縁状の縁部５３が形成され、前方の縁部の中央にはタバコの転動を防止するＵ字溝状のレスト部５３ｇが形成され、後方および左右の縁部には容体部５１，５２の周囲を取り囲む囲壁部５４が立設されている。
【００１９】
このため、図１１に示すように、喫煙中のタバコを灰皿５０に仮置きしたときに、仮置きされたタバコがレスト部５３ｇに安定支持されて左右に転動したり灰皿の内外に落下するようなことがなく、また吸い殻貯留部５２をもみ消し部５１の後方に一段深く形成しているため、既に吸い殻貯留部５２に収容された吸い殻が、仮置きされたタバコの火やもみ消されたタバコの火種から離れて配設され、燃え移りにくい構成になっている。さらに、容体部５１，５２の周囲を取り囲むように縁部５３および囲壁部５４を形成しているため、タバコの灰や火種の飛散を防止するとともに、囲壁部５４が周辺構造を保護する防火壁としても機能し、一般的に熱可塑性樹脂を用いて形成される周辺構造物の熱変形を抑止した構成になっている。
【００２０】
なお、図１１中に二点鎖線で示すように、もみ消し部５１の後端側に上方に突出するドット状ないしライン状の突起部５１ａを形成することにより、仮置きされたタバコが後方の吸い殻貯留部５２に滑り落ちることを防止して、他の吸い殻への燃え移りをさらに抑制した構成にすることも有効である。
【００２１】
灰皿５０の後部には、容体部の背面側に位置して灰皿側後方係合部が形成されている。灰皿側後方係合部は、後述する収容側後方係合部の連結ピン６５と嵌脱自在なテーパ穴状のピン受容穴５５、およびピン受容穴５５の下側に下方に開くコの字状に立設されて収容側後方係合部の支持凸部６６と係脱自在な受容壁５６とからなり、灰皿５０に一体に成型されている。
【００２２】
灰皿５０の下面側では、もみ消し部５１よりも一段深く形成された吸い殻貯留部５２の下面により略矩形の平坦な灰皿底面５７が形成され、もみ消し部５１の前端側の下面には下方に向けて舌片状の指掛け部５９が突出成型されている。指掛け部５９の突出高さは、下端の縁面が灰皿底面５７と同一平面上に位置するように形成されており、灰皿５０を平坦なテーブル面等に載置したときに、指掛け部５９が支持脚として機能し灰皿５０が前後に傾いたりぐらついたりすることなく安定姿勢で支持されるようになっている。
【００２３】
一方、収容凹部６０が設けられた下球皿構造体２０は、図７に球抜き機構ＢＭ１ａの分解斜視図を示すように、下球皿構造体２０の基体をなすベース体２１と、球皿構造体２０の外殻をなす外装体２２とを主体とし、ベース体２１に後述する球抜き機構を組み付け、その前方から外装体２２を覆い被せるように係合させて、ベース体２１の後面側から外装体２２をネジ固定することで一体のアッセンブリに形成される。そして、このように部分組立された下球皿構造体２０を前枠下部の取付位置に嵌合位置決めして、前枠２の後面側からベース体２１をネジ固定することで、下球皿構造体２０が前枠２の下部所定位置に組み付けられる。
【００２４】
灰皿５０を収容保持する収容凹部６０は、下球皿構造体２０における下球皿２３と隣接してその左側に設けられており、外装体２２が灰皿５０の形状寸法に合わせて正面視凹状に切り欠かれ前面および上面開放の収容室が形成されるとともに、その奥部に灰皿５０の後部と係脱自在な収容側後方係合部および灰皿５０の下部と係脱自在な収容側下方係合部が設けられて構成される。
【００２５】
収容凹部６０の幅寸法、具体的には外装体２２における切り欠き部の左右の壁面間隔は、灰皿５０における容体部５１，５２の外形幅に合わせてわずかに大きめに形成されており、左右の壁面の上方には縁部５３および囲壁５４の形状寸法に合わせた支持レール部６３が形成されている。収容凹部６０と下球皿２３との間では、外装体２２が上方に延出されて一定幅を有する区画壁６４が形成されており、その突出高さは下球皿２３の開口上面および灰皿装着時における容体部５１，５２の開口上面よりも高く、後方に向けて徐々に高くなる傾斜壁に形成されている。
【００２６】
収容凹部６０の下側では、外装体２２の周囲の底面と同一面上に底面カバー６８が形成されいる。底面カバー６８はその前縁が収容凹部６０における左側の壁面の前端位置に合わせて左右の壁面を繋いで形成され、前縁中央には半円形に切り欠かれた指入れ部６９が形成されている。
【００２７】
一方、収容凹部６０の奥部では、ベース体２１の立設面が収容凹部６０に面して後方壁面を形成し、この後方壁面に灰皿５０の後部と係脱自在な収容側後方係合部が設けられている。また後方壁面の下側には底面カバー６８の上方に位置して収容凹部６０に突出する支持台座６７が形成されており、その上面が収容凹部６０の収容側下方係合部を構成する。
【００２８】
後方壁面に設けられた収容側後方係合部は、前方に突出成型されたテーパピン状の連結ピン６５、および連結ピン６５の下側に位置して前方に膨出成型された矩形箱状の支持凸部６６からなり、連結ピン６５が灰皿５０の後面に形成されたピン受容穴５５と嵌脱自在に、支持凸部６６が受容壁５６と係脱自在に形成されている。
【００２９】
支持台座６７は、灰皿底面５７（吸い殻貯留部５２の下面）を支持する台座であり、ピン受容穴５５を連結ピン６５に嵌合させて灰皿５０を収容凹部６０に装着したときの灰皿底面５７の高さ位置を基準として形成されている。支持台座６７の前端側は灰皿底面５７の配設位置よりも幾分前方に延びて形成されており、その上面側に灰皿底面の前方Ｒ部と位置整合する側面視三角形状の脱落防止突起６７ｓ，６７ｓが張出成型されている。また支持台座６７の下面側には、脱落防止突起６７ｓ，６７ｓの外側に位置して下方に突出し、前後に延びる細畦状のスペーサリブ６７ｒ，６７ｒが形成されており、底面カバー６８と支持面との間に所定の放熱空間を形成しつつ底面カバー６８に安定支持されるようになっている。
【００３０】
このように各部が構成される灰皿構造ＡＴ１では、灰皿５０の灰皿側後方係合部５５，５６を収容凹部６０の収容側後方係合部６５，６６に係合させ、灰皿底面５７を支持台座６７に支持させることで、灰皿５０が収容凹部６０に着脱自在に装着される。
【００３１】
灰皿５０の装着時には、図４に示すように収容凹部６０の前方斜め上方から灰皿５０を前傾姿勢で嵌挿し、灰皿５０の左右の縁部５３を収容凹部６０の左右の支持レール部６３に支持および案内させて、ピン受容穴５５を連結ピン６５の先端部に係合させる。このとき、灰皿底面５７の前方Ｒ部が支持台座６７に形成された脱落防止突起６７ｓの傾斜面と係合する。そこで、脱落防止突起６７ｓの傾斜面を滑らせるようにして灰皿５０を後方にスライドさせつつ前端側を下方に揺動させる。するとピン受容穴５５が連結ピン６５を受容して嵌合し、受容壁５６が支持凸部６６の上面および左右面と係合し、灰皿底面５７が支持台座６７の支持面と係合し、さらに左右の縁部５３および囲壁部５４が支持レール部６３と係合して灰皿５０が収容凹部６０に装着される。
【００３２】
こうして灰皿５０が収容凹部６０に装着されると、灰皿５０は上記各部の係合関係によって位置決め支持され、上下左右方向への移動、連結ピン６５を軸とする左右方向の傾動、連結ピン嵌合部近傍を支点とする上下方向の揺動、および水平面内での旋回動が規制され、また後方壁面と脱落防止突起６７ｓとにより前後方向の移動が規制されて、挿抜方向（前方への移動と上方への揺動の組み合わせ）を除く６自由度の変位が規制され収容凹部６０に安定的に係止保持される。
【００３３】
灰皿５０が装着された状態では、下球皿２３と灰皿５０との間に下球皿２３の開口上面および容体部５１，５２の開口上面よりも高く延出された区画壁６４が存在しており、下球皿２３と灰皿５０との間で遊技球や灰が行き来し難い構成になっている。このため、例えば遊技者が下球皿２３に貯留された遊技球をすくい上げようとして下球皿２３から遊技球が溢れても、溢れ出た遊技球が区画壁６４に阻止されて灰皿５０側に転落することがなく、また灰皿５０に仮置きしたタバコが転動して下球皿２３に転落したり、容体部５１，５２に収容されたタバコの灰がもみ消し時に溢れて下球皿２３に混入し遊技球が灰まみれになるようなこともない。さらに、この区画壁６４が一定幅を有して前方に下傾して形成されているため、万が一遊技球が区画壁６４の上面に乗った場合であっても前方に導かれて灰皿５０側に転落しにくい構成になっている。
【００３４】
また灰皿構造ＡＴ１では、底面カバー６８および支持台座６７を短く形成し、もみ消し部５１の下面側が開放状態になるように構成している。このため、灰皿５０の各部のうちで最も高温になる頻度が高いもみ消し部５１の放熱性が良好であり、仮置きされたタバコの火やもみ消されたタバコの火種による過熱を防止して灰皿５０の損傷を抑えることができる。また吸い殻貯留部５２の下面（灰皿底面５７）を支持する支持台座６７には、スペーサーリブ６７ｒを設けてすのこ状に形成し、底面カバー６８と支持台座６７との間に放熱空間を形成している。このため、灰皿底面５７から伝達される熱が蓄熱されるようなことがなく、一般的に熱可塑性樹脂材料を用いて一体成型されるベース体２１の熱変形や劣化を抑制することができる。
【００３５】
一方、装着された灰皿５０を取り外すときには、底面カバー６８に切り欠き形成された指入れ部６９に指を差し入れ、もみ消し部下面の指掛け部５９に指を掛けて手前に引き上げ、灰皿５０を前方にスライドさせつつ前端側を上方に揺動させる。すると灰皿底面５７の前端Ｒ部が脱落防止突起６７ｓの傾斜面を乗り越えるように滑り、ピン受容穴５５と連結ピン６５との嵌合、受容壁５６と支持凸部６６との係合、および灰皿底面５７と支持台座６７との係合が解除される。そこで、灰皿５０を水平前方〜上方に引き出すことで灰皿５０が収容凹部６０から取り外される。
【００３６】
このため、遊技施設の係員が灰皿５０の着脱を容易に行うことができる。灰皿５０は下球皿２３と隣接する球皿構造体２０の正面左側に設けられており、遊技施設の係員は遊技者の遊技を妨げることなく灰皿５０を脱着し、遊技者の後方で吸い殻をバケツ等に回収できる。従って、従来の回動形態の灰皿のように、回収操作を誤って吸い殻や灰を周辺にまき散らしてしまうようなことがなく、さらに灰皿５０を脱着するときの灰皿の傾き角が５度程度と小さいため、収容された吸い殻が灰皿後方にこぼれ落ちる心配もない。
【００３７】
また、日常の点検や盤面交換等において、灰皿５０の汚れがひどいような場合には灰皿５０を取り外して丸洗い洗浄することができ、損傷を受けているような場合には灰皿５０を簡単に交換することができる。従って、以上説明した灰皿構造ＡＴ１によれば、従来課題とされた種々の問題を解決することができ、このような灰皿構造を備えることにより、遊技者および遊技施設の双方にとって取り扱いが容易で快適な遊技環境を提供することができる。
【００３８】
なお、灰皿構造ＡＴ１では、連結ピン６５および単純揺動による脱落を規制する支持凸部６６を収容凹部６０側に設け、連結ピン６５と嵌合するピン受容穴５５および支持凸部６６と係合する受容壁５６を灰皿５０側に設けた例を示したが、これら各部の配設位置は灰皿５０側と収容凹部６０側とを逆に構成してもよく、また連結ピン６５や支持台座６７を金属製としてもよい。
【００３９】
（灰皿構造ＡＴ２）
次に、第２構成形態の灰皿構造ＡＴ２を、図３および図４に対応した側断面図として図５および図６に示しており、この両図を参照して灰皿構造ＡＴ２について説明する。なお灰皿構造ＡＴ２は、大別的には灰皿７０と収容凹部８０とからなり、両者の係合部を除く全体構成は、前述した灰皿５０と主要凹部６０とからなる第１構成形態の灰皿構造ＡＴ１と同様である。そこで、灰皿構造ＡＴ１と同様部分に同一番号を付して重複説明を省略し、灰皿７０および収容凹部８０の係合部の構成を中心に説明する。
【００４０】
灰皿７０の容体部は、前方が浅く後方に向けて緩やかに深くなるもみ消し部５１と、もみ消し部５１の後方に一段深く形成された吸い殻貯留部５２との２段構成になっており、その上部には額縁状の縁部５３が形成され、後方および左右の縁部には容体部５１，５２の周囲を取り囲む囲壁部５４が立設されている。左右の縁部には下方に突出してガイド突起７３が形成されている。
【００４１】
灰皿７０の後部には、囲壁部５４の上端中央部が一部切り欠かれて凹状の掛止溝７５が形成されている。また灰皿７０の下面側では、吸い殻貯留部５２の下面により平坦な灰皿底面５７が形成され、もみ消し部５１の下面中央には先端にテーパ面を有する係止ピン７７が補強リブとともに突出成型されている。係止ピン７７の突出高さは、ピン先端の端面が灰皿底面５７と同一平面上に位置するように形成されており、灰皿７０を平坦なテーブル面等に載置したときに、係止ピン７７が支持脚として機能し灰皿７０が前後に傾いたりぐらついたりすることなく安定姿勢で支持されるようになっている。
【００４２】
一方、収容凹部８０は、外装体２２が灰皿７０の形状寸法に合わせて正面視凹状に切り欠かれ前面および上面開放の収容室が形成されるとともに、その奥部に灰皿７０の後部と係脱自在な収容側後方係合部および灰皿７０の下部と係脱自在な収容側下方係合部が設けられて構成される。
【００４３】
収容凹部８０の左右の壁面間隔は、灰皿７０の容体部５１，５２の外形幅よりもわずかに大きめに形成されるとともに、左右の壁面の上方に縁部５３および囲壁５４の形状寸法に合わせた支持レール部６３が形成され、この左右の支持レール部６３に灰皿側のガイド突起７３と係脱自在に係合して灰皿５０の装着を案内するＶ字状のガイド溝８３が形成されている。収容凹部８０と下球皿２３との間には前述同様の区画壁６４が設けられており、その突出高さは下球皿２３の開口上面および灰皿装着時における容体部５１，５２の開口上面よりも高く形成されている。
【００４４】
収容凹部８０の奥部では、ベース体２１の立設面が収容凹部８０に面して後方壁面を形成し、この後方壁面の上端中央部に灰皿７０の掛止溝７５と係脱自在な掛止突起８５が形成されている。なお、掛止突起８５および掛止溝７５の係合端部は、ともに側断面視円弧状に形成されており、滑らかに係脱し得るようになっている。後方壁面の下側には収容凹部８０に突出する支持台座６７が形成され、灰皿底面５７を支持し得るようになっている。
【００４５】
収容凹部８０の下側では、外装体２２の周囲の底面と同一面上に底面カバー６８が形成されている。底面カバー６８はその前縁が収容凹部８０における左側の壁面の前端位置に合わせて左右の壁面を繋いで形成され、前端側中央部には上方に突出して前方に延びるクランク状の収容側下方係合部が設けられている。収容側下方係合部は左右対称に形成された一対のクランプアーム８６からなり、基端部から切り離された左右のクランプアーム８６が中央の溝を挟んで左右に弾性変位可能に形成されるとともに、溝の先端部には灰皿側の係止ピン７７を受容して弾性的に挟持し、係止ピン７７を係止し得るピン受容部８７が形成されている。
【００４６】
このように各部が構成される灰皿構造ＡＴ２では、灰皿７０の掛止溝７５を収容凹部８０の掛止突起８５に係合させ、係止ピン７７をピン受容部８７に嵌合させることで、灰皿７０が収容凹部８０に着脱自在に装着される。
【００４７】
灰皿７０の装着時には、図６に示すように収容凹部８０の前方斜め上方から灰皿７０を前傾姿勢で嵌挿し、灰皿７０の左右の縁部５３を収容凹部８０の左右の支持レール部６３に支持および案内させて、掛止溝７５を掛止突起８５に係合させる。そして係止溝７５と掛止突起８５の係合部を支点にして灰皿７０の前端側を下方に揺動させ、ガイド突起７３をガイド溝８３に沿って滑らせるように沈み込ませる。
【００４８】
すると、係止ピン７７の先端に形成されたテーパ面が斜め上方からピン受容部８７に進入して係合し、ピン受容部８７を押し開くように左右のクランプアーム８６を弾性変形させながらピン受容部８７に嵌入して、係止ピン７７が左右のクランプアーム８６に弾性的に挟持された状態で係止される。このとき、灰皿底面５７が支持台座６７の支持面と係合し、左右の縁部５３および囲壁部５４が支持レール部６３と係合し、ガイド突起７３がガイド溝８３の底部と係合して灰皿７０が収容凹部８０に装着される。
【００４９】
こうして灰皿７０が収容凹部８０に装着されると、灰皿７０は上記各部の係合関係によって位置決め支持され、上下左右ならびに前後方向への移動、左右方向の傾動、掛止突起８５を支点とする上下方向の揺動、および水平面内での旋回動が規制されて、６自由度の変位が規制され収容凹部８０に安定的に係止保持される。
【００５０】
灰皿７０が装着された状態では、下球皿２３と灰皿７０との間に両者の開口上面よりも高く延出された区画壁６４が存在しており、下球皿２３と灰皿７０との間で遊技球や灰が行き来し難い構成になっている。このため、例えば遊技者が下球皿２３に貯留された遊技球をすくい上げようとして下球皿２３から遊技球が溢れても、溢れ出た遊技球が区画壁６４に阻止されて灰皿７０側に転落することがなく、また灰皿７０に仮置きしたタバコが転動して下球皿２３に転落したり、容体部５１，５２に収容されたタバコの灰がもみ消し時に溢れて下球皿２３に混入し遊技球が灰まみれになるようなこともない。さらに、この区画壁６４が一定幅を有して前方に下傾して形成されているため、万が一遊技球が区画壁６４の上面に乗った場合であっても前方に導かれて灰皿７０側に転落しにくい構成になっている。
【００５１】
また灰皿構造ＡＴ２では、底面カバー６８および支持台座６７を短く形成し、もみ消し部５１の下面側が開放状態になるように構成している。このため、灰皿７０の各部のうちで最も高温になる頻度が高いもみ消し部５１の放熱性が良好であり、仮置きされたタバコの火やもみ消されたタバコの火種による過熱を防止して灰皿７０の損傷を抑えることができる。また吸い殻貯留部５２の下面を支持する支持台座６７には、スペーサーリブ６７ｒを設けてすのこ状に形成し、底面カバー６８と支持台座６７との間に放熱空間を形成している。このため、灰皿底面５７から伝達される熱が蓄熱されるようなことなく、ベース体２１の熱変形や劣化を抑制することができる。
【００５２】
一方、装着された灰皿７０を取り外すときには、係止ピン７７の下端面またはもみ消し部５１の下面に指を掛けて手前に引き上げ、掛止溝７５と掛止突起８５との係合部を支点にして灰皿７０の前端側を上方に揺動させる。するとピン受容部８７に弾性的に挟持されていた係止ピン７７が外れて係止が解除され、ガイド突起７３がガイド溝８３の傾斜面を滑るように上動して各部の係合が解除される。そこで、灰皿７０を水平前方〜上方に引き出すことで灰皿７０が収容凹部８０から取り外される。
【００５３】
このため、遊技施設の係員が灰皿７０の着脱を容易に行うことができる。灰皿７０は球皿構造体２０の正面左側に設けられており、遊技施設の係員は遊技者の遊技を妨げることなく灰皿７０を脱着し、遊技者の後方で吸い殻をバケツ等に回収できる。従って、従来の回動形態の灰皿のように、回収操作を誤って吸い殻や灰を周辺にまき散らしてしまうようなことがない。また、日常の点検や盤面交換等において、灰皿７０の汚れがひどいような場合には灰皿７０を取り外して丸洗い洗浄することができ、損傷を受けているような場合には灰皿７０を簡単に交換することができる。従って、以上説明した灰皿構造ＡＴ２においても、従来課題とされた種々の問題を解決することができ、このような灰皿構造を備えることにより、遊技者および遊技施設の双方にとって取り扱いが容易で快適な遊技環境を提供することができる。
【００５４】
なお、灰皿構造ＡＴ２では、掛止溝７５および係止ピン７７を灰皿７０側に設け、掛止溝と係合する掛止突起８５および係止ピンを受容して係止するピン受容部８７を収容凹部８０側に設けた例を示したが、これら各部の配設位置は灰皿７０側と収容凹部８０側とを逆に構成してもよく、また掛止溝７５を形成することなく掛止突起８５が囲壁５４の上端部と係合するように構成してもよい。
【００５５】
さて、以上説明した灰皿構造ＡＴ（ＡＴ１またはＡＴ２）と隣接して、下球皿２３に貯留された遊技球を下球皿構造体２０の下方に準備した球箱ＢＢに落下させて収容させる球抜き機構ＢＭが設けられている。発明者は頭書記載の課題を解決して目的を達成するため種々の構成形態の球抜き機構ＢＭを考案しており、以降、各構成形態の球抜き機構ＢＭ１〜ＢＭ６について順に説明する。
【００５６】
第１構成形態の球抜き機構ＢＭ１は、底部に球抜き口２４を有し上方に開口する皿部内に遊技球を貯留する下球皿２３と、球抜き口２４の背面側に水平変位可能に配設され球抜き口２４を開閉する弁体１２０と、弁体１２０の変位操作を行う操作部材１３０を備え、操作部材１３０の操作部１３５が下球皿２３の左側における下球皿構造体２０の上面側に前後方向にスライド操作可能に設けられて、操作部１３５をスライド操作したときに弁体１２０が水平変位して球抜き口２４を開閉するように構成される。
【００５７】
（球抜き機構ＢＭ１ａ）
本構成形態における第１構成例の球抜き機構ＢＭ１ａを図７〜図１３に示しており、以下これらの各図を参照して球抜き機構ＢＭ１ａについて説明する。ここで、各図について予め簡潔に説明すると、図７は球抜き機構ＢＭ１ａの構成各部を斜め後方から見た分解斜視図、図８は球抜き機構ＢＭ１ａにおける弁体１２０を主として示す斜め前方から見た斜視図、図９は球抜き機構ＢＭ１ａを正面側から見た断面図、図１０は球抜き機構ＢＭ１ａを背面側から見た断面図、図１１は球抜き機構ＢＭ１ａの平面図、図１２は球抜き機構ＢＭ１ａを下球皿２３側から見た側断面図、図１３は球抜き機構ＢＭ１ａにより球抜き口を開放した状態の側断面図である。
【００５８】
下球皿構造体２０は、図７を参照して既述したように、下球皿構造体２０の基体をなすベース体２１と、下球皿構造体２０の外殻をなす外装体２２とを主体とし、ベース体２１の前方から外装体２２を覆い被せるように係合させて、ベース体２１の後面側から外装体２２をネジ固定することで一体のアッセンブリに形成される。
【００５９】
ベース体２１には、底面が緩く前方および左方（灰皿構造側）に下傾して上面開放の深皿形態をなす下球皿２３が一体に成型され、傾斜下端の左前方部に、底面から左側壁にかけて上下連通する球抜き口２４が開口形成されている。
【００６０】
下球皿２３の左上方には外装体２２に形成された区画壁６４の内側形状と整合して前後方向に係脱自在な区画壁係合部１０１が設けられるとともに、この区画壁係合部１０１の一部が切り欠かれて操作部材１３０の可動範囲を閉鎖位置と開放位置の間に規定するスライド範囲規制部１０２が形成され、その下部に上下連通するスリット状のレバー挿通孔１０３が形成されている。下球皿２３の下面側には、球抜き口２４の前方に位置して下方に突出する前方転入防止壁１０５と、球抜き口２４の右側方に位置して下方に突出する右側方転入防止壁１０６とが設けられており、球抜き口２４から流下する遊技球が下球皿２３の底面と外装体２２との間に入り込まないようになっている。
【００６１】
外装体２２は、全体として前述した灰皿構造ＡＴの収容凹部６０（８０）および下球皿２３の開口上面を除くベース体２１の上下面および前面を覆う外殻カバー状に形成されている。外装体２２の底面側には、下球皿側の球抜き口２４よりも大きな開口幅を有し、組立状態において球抜き口２４の下方に位置して上下連通する放出口２５が開口形成されている。区画壁６４の下球皿側の側壁には、下球皿２３の上縁フランジ面と係合するリブフランジが形成され、その前後中央部にはベース体側のスライド範囲規制部１０２の形成位置と整合して操作部材１３０を左右に挿通させるレバー挿通部１１３が形成されている。
【００６２】
区画壁６４の下方では、外装体２２の前方壁面および底面から内側に突出してＬ字フレーム状の左側方転入防止壁１１６が形成され、その上方に区画壁６４の下部領域と下球皿２３側とを左右に連通する開口部が形成されている。左側方転入防止壁１１６の形成位置は放出口２５の開口左縁に合わせて形成されており、前方壁面と底面とをＬ字状に繋いで外装体２２の剛性を向上させるとともに、球抜き口２４から落下する遊技球を放出口２５に案内してベース体２１と外装体２２との間に遊技球が入り込まないように構成されている。左側方転入防止壁１１６の左側には、底面から突出して左側方転入防止壁１１６と平行に前後に延びる断面視Ｔ字状のスライドレール１１２が形成されている。
【００６３】
このため、ベース体２１の前方から外装体２２を覆い被せて係合させると、区画壁６４の下方に、収容凹部６０の右側壁面、下球皿２３の左側壁面、区画壁係合部１０１、およびスライドレール１１２に囲まれて、前後に延びる断面視台形状の収容空間（弁体収容部という）１１１が形成される。弁体収容部１１１の奥部ではベース体２１の立設壁面に、コイルスプリング１４７の内径よりも幾分小さめの外径を有する円柱状のバネ支柱１０７が前方に突出して形成されている。また、区画壁６４の上面に球抜き機構の操作を説明する案内ラベル１１８が貼付されている。
【００６４】
一方、弁体１２０は、前後に延びる中空ブロック状の本体部１２１と、この本体部１２１の下部に右側方（球皿側）に延びて形成されたシャッター部１２４とを主体として構成され、例えばＡＢＳ樹脂などの熱可塑性樹脂材料を用いて射出成型等の成形手段で一体に成型される。
【００６５】
本体部１２１は、正面視における投影形状が下球皿構造体２０における弁体収容部１１１の断面形状に合わせた台形状に形成されるとともに、本体部１２１の下面にスライドレール１１２のレール形状に合わせた凹状のレール係合部１２２が形成されており、弁体１２０を弁体収容部１１１に収容させたときに、レール係合部１２２がスライドレール１１２と係合して支持され、本体部１２１が弁体収容部１１１の上方および左右の壁面と係合して、前後方向にスライド移動自在に支持されるようになっている。本体部１２１の上面には、操作部材の嵌合突片１３３を受容して固定するレバー嵌合孔１２３が形成され、本体部１２１の内部中央には、コイルスプリング１４７の外径よりも幾分大きめの内径を有する円筒状のスプリング収容部１２７が後方に開いて形成されている。
【００６６】
シャッター部１２４は、球抜き口２４の下面側の高さ位置に合わせて本体部１２１の下部から右側方に張り出すプレート状に形成され、その左右方向の張出幅および前後方向寸法が球抜き口２４の開口幅および開口寸法よりも幾分大きめに形成されている。一方、球抜き口２４は下球皿２３の前方に形成され、かつ球抜き口２４の開口後縁からベース体２１の立設壁面までの寸法がシャッター部１２４の前後方向寸法よりも大きく設定されている。
【００６７】
このため、弁体１２０を前後にスライドさせたときに、後述する閉鎖位置においてシャッター部１２４が球抜き口２４の開口全体を閉鎖するとともに、開放位置においてシャッター部１２４がベース体２１の立設壁面に当接することなく球抜き口２４の開口全体を完全に開放し得るようになっている。なお本構成例では球抜き口２４を下球皿２３の左側壁まで拡大して開口形成しているため、本体部１２１の前後方向寸法もシャッター部１２４の前後方向寸法に合わせて形成している。
【００６８】
シャッター部１２４の前端には、下方に延びて後方転入防止壁１２５が形成されており、シャッター部１２４を開放したときに球抜き口２４から流下する遊技球が下球皿２３の底面と外装体２２との間に入り込まないようになっている。また本体部１２１の下部には帯板状の左側方スライド転入防止壁１２６が前方に突出成型されており、シャッター部１２４を開放したときに球抜き口２４の前方から左側方転入防止壁１１６を越えて遊技球が弁体収容部１１１に転入しないように構成されている。
【００６９】
弁体１２０に固着される操作部材１３０は、Ｌ字アングル状に成型されたレバー部１３１と、レバー部１３１の先端側に圧入固定された操作部１３５とからなる。レバー部の基端側には弁体１２０の本体部上面に形成されたレバー嵌合孔１２３に嵌入される嵌合突片１３３が、レバー部１３１の先端側には操作部１３５下端の圧入軸を受容するボス部が形成されている。操作部１３５の上端は球状に形成され指掛け操作容易になっている。レバー部１３１および操作部１３５は、いずれも樹脂材料または金属材料を用いて形成することができ、あるいは両者を一体に成型することも可能であるが、本構成例ではレバー部１３１に樹脂材料を用い、操作部１３５に金属材料を用いて量産コストと耐久性とを両立させた構成にしている。
【００７０】
このように構成される各部材は、下球皿構造体２０の組立工程においてベース体２１と外装体２２との間に組み付けられ球抜き機構ＢＭ１ａが形成される。
【００７１】
組み付けは、まずベース体２１のバネ支柱１０７にコイルスプリング１４７の一端を支持させ、前方から弁体１２０の右側面およびシャッター部１２４を下球皿２３の左側面および下面に沿って支持させて、コイルスプリング１４７の他端側を弁体背面のスプリング収容部１２７に収容させる（図８を参照）。これによりコイルスプリング１４７がベース体側のバネ支柱１０７と弁体側のスプリング収容部１２７との間に前後に弾性変移自在に支持される。そこで弁体１２０を後方に押圧して弁体上面のレバー嵌合孔１２３をベース体のレバー挿通孔１０３の下方に位置させ、レバー挿通孔１０３の上方から操作部材１３０の嵌合突片１３３を挿通させて、レバー嵌合孔１２３に圧入固定する。この際必要に応じて接着剤を用い嵌合突片１３３をレバー嵌合孔１２３に固着させてもよい。
【００７２】
これにより、弁体１２０が操作部材１３０とスライド範囲規制部１０２との係合関係によりベース体２１に支持され、バネ支柱１０７とスプリング収容部１４７との間に挟持されたコイルスプリング１４７の付勢力によって操作部材１３０（レバー部１３１）の前方側面がスライド範囲規制部１０２の前端壁面に当接する位置に付勢支持される。
【００７３】
次いで、ベース体２１の前方から外装体２２を覆い被せるように装着する。このときベース体の区画壁係合部１０１が区画壁６４と係合して外装体２２を左右方向に位置決めし、外装体２２を案内するスライドガイドとして機能する。区画壁６４の後端部がスライド範囲規制部１０２の前端位置に達するまで外装体２２をスライドさせると、区画壁６４のリブフランジがレバー部１３１に当接する。そこで、区画壁６４の右壁面を斜め上方に開くように弾性変形させ、レバー部１３１を乗り越えさせてレバー挿通部１１３に導入させる。このとき区画壁６４の左側では、弁体１２０における本体部１２１の左側面が収容凹部６０の右壁面と係合し、弁体のレール係合部１２２がスライドレール１１２と係合する。
【００７４】
そこで、外装体２２の後端各部がベース体２１の立設壁面に当接するまでスライドさせ、突き当て状態で整合する外装体のネジボスにベース体２１の後面側からネジを螺合させて締め込むことで、球抜き機構ＢＭ１ａが組み付けられ、球抜き機構を備えた下球皿構造体２０が形成される。
【００７５】
こうして球抜き機構ＢＭ１ａが組み付けられると、弁体１２０は区画壁６４の下側の弁体収容部１１１に前後方向に水平変位可能に収容支持され、常にはコイルスプリング１４７により前方に付勢されて操作部材１３０がスライド範囲規制部１０２の前端面に当接する規制位置、具体的には弁体１２０の本体部１２１およびシャッター部１２４が球抜き口２４の背面側で開口全体を閉鎖する閉鎖位置に保持される（図１２を参照）。従って、下球皿払出通路から払出バケット１８および下通出口１７を介して下球皿２３に払い出された遊技球は、閉鎖位置にある弁体１２０により流下が規制され下球皿２３に貯留される。
【００７６】
球抜き作業を行うには、操作部材１３０の操作部１３５をコイルスプリング１４７の付勢力に抗して前方に押圧する。すると弁体１２０が弁体収容部１１１内で後方にスライド移動し、本体部１２１およびシャッター部１２４が後方に移動して球抜き口２４が開かれる（図１１を参照）。そして操作部材１３０がスライド範囲規制部１０２の後端面に当接する規制位置まで押圧操作すると、弁体１２０の本体部１２１およびシャッター部１２４が球抜き口２４の開口全体を開放する開放位置に配設される（図１３を参照）。従って、下球皿２３に貯留された遊技球が球抜き口２４および放出口２５を通って下方に準備された球箱ＢＢに流下する。
【００７７】
ここで、球抜き口２４の下側では、球抜き口２４の前方に前方転入防止壁１０５、右側方に右側方転入防止壁１０６、左側方に左側方転入防止壁１１６、シャッター部１２４の前端に後方転入防止壁１２５が配設され、さらに本体部１２１の前方に左側方スライド転入防止壁１２６が配設される。このため、弁体１２０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【００７８】
また、球抜き機構ＢＭ１ａでは、コイルスプリング１４７の内周を支持するバネ支柱１０７とコイルスプリング１４７の外周を支持するスプリング収容部１２７とでコイルスプリング１４７の前後を支持するとともに、スプリング収容部１２７を弁体１２０の本体内部に形成している。このため、弁体１２０の開放位置において、後方に移動した弁体１２０の内部（スプリング収容部１２７の内部）にベース体から前方に突出するバネ支柱１０７が受容され、コイルスプリング１４７も略全体が弁体１２０の内部（同上）に収容される。従って、コンパクトな構成で開口寸法の大きな球抜き機構を構成することができる。
【００７９】
球抜き作業を終了するときには、操作部１３５を開放位置に保持させる押圧力を弱めればよい。前方への押圧力が弱められると、コイルスプリング１４７に蓄積された弾性力によってコイルスプリング１４７が伸長方向に自己復帰し、弁体１２０が弁体収容部１１１内を前方にスライド移動して、本体部１２１およびシャッター部１２４が球抜き口２４を閉じる。そして操作部材１３０がスライド範囲規制部１０２の前端面に当接すると弁体１２０の前方への移動が規制され、所定の付勢力を保持した状態で本体部１２１およびシャッター部１２４が球抜き口２４の背面側で開口全体を閉鎖する閉鎖位置に保持される（図１２を参照）。
【００８０】
このように、本構成の球抜き機構ＢＭ１ａでは、球抜き口２４の開閉操作を行う操作部１３５が下球皿２３の左側に位置して下球皿構造体２０の上面側に前後方向にスライド操作可能に設けられているため、右手で発射ハンドル１４を回動操作したまま左手で球抜き操作を簡単に行うことができ、かつ下球皿構造体２０と腹部との間隔が密着してしまうような遊技者であっても容易に球抜き操作を行うことができる。
【００８１】
また、操作部１３５が下球皿構造体２０の上面側に前後方向にスライド操作可能に設けられているため、遊技者が座席から立ち上がったり着座しようとするとき、あるいは隣接するパチンコ機に放置された球箱を取ろうとして横を向いたときなどに、たとえ下球皿構造体２０の前面にぶつかっても操作部１３５が開方向に誤操作されて球抜き口２４が開放されるようなことがなく、遊技球を周囲にまき散らしてしまうような事態が生じない。さらに、球抜き機構の主要構成部が区画壁６４の下部領域を有効に利用して構成され、操作部１３５が区画壁６４から下球皿２３側に突出して配設されるため、コンパクトな構成で操作性の良好な球抜き機構を提供することができる。また、操作部材１３０を挿通させるレバー挿通部１１３が区画壁６４における下球皿２３側の側面に形成されているため、タバコの灰やごみ等が球抜き機構の内部に侵入しにくい構成になっている。
【００８２】
従って、以上説明した球抜き機構ＢＭ１ａによれば、誤操作による遊技球の飛散を有効に防止して、遊技者にとって操作性の良好な球抜き機構を提供することができる。
【００８３】
（球抜き機構ＢＭ１ｂ）
次に、上述した球抜き機構ＢＭ１ａと同様に、操作部材を下球皿構造体２０の上面左側に前後方向にスライド操作可能に設けた第１構成形態の球抜き機構ＢＭ１における第２構成例の球抜き機構ＢＭ１ｂについて、図１４〜図１６を参照して説明する。ここで、図１４は球抜き機構ＢＭ１ｂの構造を斜め前方から見た斜視図、図１５は球抜き機構ＢＭ１ｂを正面側から見た断面図、図１６は球抜き機構ＢＭ１ｂの平面図である。なお、下球皿構造体２０の基本的な構成や灰皿構造ＡＴ１などは上述した第１構成例の球抜き機構ＢＭ１ａと同様であるため、同様部分に同一番号を付して重複説明を省略し、相違する部分を中心に説明する。
【００８４】
ベース体２１における下球皿２３の左上方には、外装体２２に形成された区画壁６４の内側形状と整合して前後方向に係脱自在な区画壁係合部１５１が設けられ、この区画壁係合部１５１の右側壁の下部に、左右連通するスリット状のレバー挿通孔１５３が形成されている。レバー挿通孔１５３の前後端は閉じており、これにより操作部材１８０の可動範囲を閉鎖位置と開放位置の間に規定するスライド範囲規制部１５２を形成する。区画壁係合部１５１の左側壁にはスライド範囲規制部１５２の前端位置に対応して左側壁の一部切り欠かれ、操作部材１８０を左右水平にレバー挿通孔１５３に挿通させ得るセット凹部１５４が形成されている。
【００８５】
一方、外装体２２側では、区画壁６４の右側壁の下部に下球皿２３の上縁フランジ面と係合するリブフランジが形成され、ベース体２１側のレバー挿通孔１５３の形成位置と整合して操作部材１８０を左右に挿通させるレバー挿通部１６３が形成されている。区画壁６４の下方では、外装体２２の前方壁面および底面から内側に突出して前後に延びるリブ状のスライドレール１６２，１６２が左右に並んで２本平行に形成されている。
【００８６】
これらのスライドレール１６２は、前方壁面と底面とを繋ぐＬ字フレーム状に形成されて外装体２２の剛性を向上させるとともに、右側のスライドレールは放出口２５の開口左縁に合わせて球抜き口２４の開口上縁近くまで高く形成されており、球抜き口２４から流下する遊技球を放出口２５に案内して遊技球がベース体２１と外装体２２との間に入り込まないようになっている。すなわち本構成例のスライドレール１６２は、弁体１７０を前後スライド自在に支持するスライドレールとしての機能のみならず、外装体２２の補強フレームとしての機能と、前述した左側方転入防止壁１１６および左側方スライド転入防止壁１２６の機能とを兼ね備えた構成になっている。
【００８７】
そしてベース体２１の前方から外装体２２を覆い被せて係合させると、区画壁６４の下方に収容凹部６０の右側壁面、下球皿２３の左側壁面、区画壁係合部１５１、およびスライドレール１６２に囲まれて、前後に延びる断面視台形状の弁体収容部１６１が形成される。
【００８８】
弁体１７０は、上記弁体収容部１６１の断面形状に合わせて形成された中空ブロック状の本体部１７１と、この本体部１７１の下部に右側方に延びて形成されたシャッター部１７４、本体部１７１の上面から上方に突出して右側方に延びるＬ字状の操作部材１８０を主体とし、前述した弁体１２０と同様の樹脂材料を用いて成型される。球抜き機構ＢＭ１ｂでは、操作部材１８０を弁体１７０に一体成型で形成しており、操作部材１８０の先端に円弧状の操作部１８５が形成されている。
【００８９】
本体部１７１の下面には、左右のスライドレール１６２，１６２と係脱自在な凹状のレール係合部１７２，１７２が前後に延びて形成され、弁体１７０を弁体収容部１６１に収容させたときにレール係合部１７２がスライドレール１６２と係合して支持され、本体部１７１が弁体収容部１６１の上方および左右の壁面と係合して、前後方向にスライド移動自在に支持されるようになっている。本体部１７１の内部中央には円筒状のスプリング収容部１２７が後方に開いて形成されている。
【００９０】
シャッター部１７４は、球抜き口２４の下面側の高さ位置に合わせて本体部１７１の下部から右側方に張り出すプレート状に形成され、その左右方向の張出幅および前後方向寸法が球抜き口２４の開口幅および開口寸法よりも幾分大きめに形成されている。ここで球抜き口２４は下球皿２３の前方に形成され、かつ球抜き口２４の開口後縁からベース体２１の立設壁面までの寸法がシャッター部１７４の前後方向寸法よりも大きく設定されている。
【００９１】
このため、弁体１７０を閉鎖位置に位置させたときにシャッター部１７４が球抜き口２４の開口全体を閉鎖する一方、開放位置においては球抜き口２４を完全に開放し得るようになっている。シャッター部１７４の前端には下方に延びる後方転入防止壁１７５が形成されており、シャッター部１７４を開放したときに球抜き口２４から流下する遊技球が下球皿２３の底面と外装体２２との間に入り込まないようになっている。
【００９２】
このように構成される各部材がベース体２１と外装体２２との間に組み付けられ球抜き機構ＢＭ１ｂが形成される。組み付けは、ベース体のバネ支柱１０７にコイルスプリング１４７の一端を支持させておき、下球皿２３の左側方から操作部１８０をセット凹部１５４に位置合わせしてレバー挿通孔１５３に挿通させ、本体部１７１の右側面およびシャッター部１７４を下球皿２３の左側面および下面に支持させて、コイルスプリング１４７の他端側を弁体背面のスプリング収容部１２７に収容させる。これによりコイルスプリング１４７がベース体側のバネ支柱１０７と弁体側のスプリング収容部１２７との間に前後に弾性変移自在に支持される。
【００９３】
次いで、ベース体２１の前方から外装体２２を覆い被せるように装着する。このときベース体の区画壁係合部１５１が区画壁６４と係合して外装体２２を左右方向に位置決めし、外装体２２を案内するスライドガイドとして機能する。外装体２２をガイドに沿ってスライドさせると区画壁６４の左側で本体部１７１の左側面が収容凹部６０の右壁面と係合し、レール係合部１７２がスライドレール１６２と係合する。さらに外装体２２をスライドさせて区画壁６４のリブフランジが操作部材１８０に当接したら、区画壁６４の右壁面を斜め上方に開くように弾性変形させ、操作部材１８０を乗り越えさせてレバー挿通部１６３に導入させる。そして、外装体２２の後端各部がベース体２１の立設壁面に当接するまでスライドさせて突き当て、外装体のネジボスにベース体２１の後面側からネジを螺合させて締め込むことで、球抜き機構ＢＭ１ｂが組み付けられ、球抜き機構を備えた下球皿構造体２０が形成される。
【００９４】
球抜き機構ＢＭ１ｂが組み付けられると、弁体１７０は区画壁６４の下側の弁体収容部１６１に前後方向に水平変位可能に収容支持され、常にはコイルスプリング１４７により前方に付勢されて操作部材１８０がスライド範囲規制部１５２の前端面に当接する規制位置、具体的には弁体１７０の本体部１７１およびシャッター部１７４が球抜き口２４の背面側で開口全体を閉鎖する閉鎖位置に保持される（図１６を参照）。従って、下球皿２３に払い出された遊技球が閉鎖位置にある弁体１７０により流下規制され下球皿２３に貯留される。
【００９５】
球抜き作業を行うには、操作部材１８０の操作部１８５をコイルスプリング１４７の付勢力に抗して前方に押圧する。すると弁体１７０が弁体収容部１６１内で後方にスライド移動し、本体部１７１およびシャッター部１７４が後方に移動して球抜き口２４が開かれる。そして操作部材１８０がスライド範囲規制部１５２の後端面に当接する規制位置まで押圧操作すると、弁体１７０の本体部１７１およびシャッター部１７４が球抜き口２４の開口全体を開放する開放位置に配設される（図１６における二点鎖線を参照）。従って、下球皿２３に貯留された遊技球が球抜き口２４および放出口２５を通って下方に準備された球箱ＢＢに流下する。
【００９６】
球抜き口２４の下側では、球抜き口２４の前方に前方転入防止壁１０５、球抜き口２４の右側方に右側方転入防止壁１０６、球抜き口２４の左側方に転入防止壁の機能を有するスライドレール１６２、シャッター部１７４の前端に後方転入防止壁１７５が配設されている。このため、弁体１７０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【００９７】
また、球抜き機構ＢＭ１ｂにおいても、前述した球抜き機構ＢＭ１ａと同様に、コイルスプリング１４７の内周を支持するバネ支柱１０７と外周を支持するスプリング収容部１２７とでコイルスプリング１４７を支持し、かつスプリング収容部１２７を弁体１７０の本体内部に形成している。このため、弁体１７０の開放位置において、後方に移動した弁体１７０（スプリング収容部１２７）の内部にバネ支柱１０７が受容され、コイルスプリング１４７の略全体が弁体１７０の内部に収容される。従って、コンパクトな構成で開口寸法の大きな球抜き機構を構成することができる。
【００９８】
球抜き作業を終了するときには、操作部１８５を開放位置に保持させる押圧力を弱めればよい。前方への押圧力が弱められると、コイルスプリング１４７に蓄積された弾性力によってコイルスプリング１４７が伸長方向に自己復帰し、弁体１７０が弁体収容部１６１内を前方にスライド移動して、本体部１７１およびシャッター部１７４が球抜き口２４を閉じる。そして操作部材１８０がスライド範囲規制部１５２の前端面に当接すると弁体１７０の前方への移動が規制され、所定の付勢力を保持した状態で本体部１７１およびシャッター部１７４が球抜き口２４の背面側で開口全体を閉鎖する閉鎖位置に保持される（図１２を参照）。
【００９９】
このように、本構成の球抜き機構ＢＭ１ｂでは、球抜き口２４の開閉操作を行う操作部１８５が下球皿２３の左側に位置して前後方向にスライド操作可能に設けられているため、右手で発射ハンドル１４を回動操作したまま左手で球抜き操作を簡単に行うことができ、かつ下球皿構造体２０と腹部との間隔が密着してしまうような遊技者であっても容易に球抜き操作を行うことができる。
【０１００】
また、操作部１８５が下球皿構造体２０の上面側に前後方向にスライド操作可能に設けられているため、遊技者が誤って下球皿構造体２０の前面にぶつかっても操作部１８５が開方向に誤操作されて球抜き口２４が開放されるようなことがなく、遊技球を周囲にまき散らしてしまうような事態が生じない。さらに、球抜き機構の主要構成部が区画壁６４の下部領域を有効に利用して構成され、操作部１８５が区画壁６４から下球皿２３側に突出して配設されるため、コンパクトな構成で操作性の良好な球抜き機構を提供することができる。また、操作部材１８０を挿通させるレバー挿通部１６３が区画壁６４における下球皿２３側の側面に形成されているため、タバコの灰やごみ等が球抜き機構の内部に侵入しにくい構成になっている。
【０１０１】
従って、以上説明した球抜き機構ＢＭ１ｂによれば、誤操作による遊技球の飛散を有効に防止して、遊技者にとって操作性の良好な球抜き機構を提供することができる。
【０１０２】
（球抜き機構ＢＭ２）
次に、第２構成形態の球抜き機構ＢＭ２について、図１７〜図２７の各図を参照して説明する。ここで、図１７は球抜き機構ＢＭ２を備えたパチンコ機ＰＭにおけるガラス扉５および上球皿構造体６を開放した状態の正面図（図１に対応する正面図）、図１８は灰皿構造ＡＴ１を左斜め前方から見た斜視図（図２に対応する斜視図）、図１９は灰皿装着状態における灰皿中央部での側断面図（図３に対応する側断面図）、図２０は灰皿脱着時における灰皿中央部での側断面図（図４に対応する側断面図）であるが、パチンコ機ＰＭの本体構成および下球皿構造体２０に設けられる灰皿構造ＡＴ（ＡＴ１，ＡＴ２）については、既述した内容と同様であるため、図１７〜図２０の各図における同様部分に同一番号を付して重複説明を省略する。
【０１０３】
また、図２１は球抜き機構ＢＭ２の構造を斜め前方から見た斜視図、図２２は球抜き機構ＢＭ２における弁体２２０を主として示す斜め後方から見た斜視図、図２３は球抜き機構ＢＭ２の組み付け状態を示す平面図、図２４は球抜き機構ＢＭ２の平面図、図２５は球抜き機構ＢＭ２を下球皿２３側から見た側断面図、図２６は球抜き機構ＢＭ２を正面側から見た断面図、図２７は球抜き機構ＢＭ２により球抜き口を開放した状態の側断面図である。
【０１０４】
球抜き機構ＢＭ２は下球皿構造体２０に設けられており、底部に球抜き口２４を有し上方に開口する皿部内に遊技球を貯留する下球皿２３と、球抜き口の背面側に水平変位可能に配設され球抜き口２４を開閉する弁体２２０と、弁体２２０の変位操作を行う操作部材２３０とを備え、操作部材２３０の操作部２３５が下球皿２３の左側における下球皿構造体２０の底面側に前後方向にスライド操作可能に設けられ、操作部２３５をスライド操作したときに弁体２２０が水平変位して球抜き口２４を開閉するように構成される。
【０１０５】
下球皿構造体２０は、既述した下球皿構造体と同様に、下球皿構造体２０の基体をなすベース体２１と、下球皿構造体２０の外殻をなす外装体２２とを主体とし、ベース体２１の前方から外装体２２を覆い被せるように装着して、ベース体２１の後面側から外装体２２をネジ固定することで一体のアッセンブリに形成される。
【０１０６】
ベース体２１には、底面が緩く前方および左方に下傾して上面開放の深皿形態をなす下球皿２３が一体に成型され、傾斜下端の左前方部に、底面から左側壁にかけて上下連通する球抜き口２４が開口形成されている。
【０１０７】
下球皿２３の左上方には外装体２２に形成された区画壁６４の内側形状と整合して前後方向に係脱自在な区画壁係合部２０１が設けられている。下球皿２３の下面側には、球抜き口２４の右側方に位置して下方に突出し、外装体２２の右側方転入防止壁２１６と係合する右側方ガイド壁２０６が設けられており、外装体２２を装着する際に右側方転入防止壁２１６を案内するガイド壁として機能するほか、右側方転入防止壁２１６と協働してシャッター部２２４の先端部を案内するガイド溝を形成する。
【０１０８】
外装体２２は、全体として灰皿構造ＡＴの収容凹部６０（８０）および下球皿２３の開口上面を除くベース体２１の上下および前面を覆う外殻カバー状に形成されている。外装体２２の上面側では、区画壁６４の右側壁の下部に下球皿２３の上縁フランジ面と係合するリブフランジが形成され、その下側に区画壁６４の下部領域と下球皿２３側とを左右に連通する開口部が形成されている。
【０１０９】
外装体２２の底面側には、下球皿側の球抜き口２４よりも大きな開口幅を有して上下に連通し、組立状態において球抜き口２４の下方に位置する放出口２５が開口形成されている。放出口２５の周縁では、放出口２５の前方に遊技球の球径よりも狭い配設ピッチで複数の前方転入防止リブ２１５が上向きに立設形成され、放出口２５の開口右縁に沿って右側方転入防止壁２１６が形成されている。前方転入防止リブ２１５は、遊技球の球径よりも狭いピッチで配設されており抜き口２４から流下する遊技球が下球皿２３の底面と外装体２２との間の前方領域に入り込むことを防止するとともに、弁体２２０の閉鎖姿勢においてシャッター部前端の後方転入防止壁２２５と係合して支持し、弁体２２０の移動範囲を規定する閉鎖側規制部を形成する。また右側方転入防止壁２１６は、球抜き口２４から流下する遊技球が下球皿２３の底面と外装体２２との間の右側方領域に入り込むことを防止するとともに、シャッター部２２４の先端部をスライド自在に支持する支持レールとしても機能する。
【０１１０】
区画壁６４の下方では、外装体２２の前方壁面および底面から内側に突出して前後に延びる２本のスライドレール２１２，２１２が左右に並んで平行に形成されている。左右のスライドレール２１２は、前方壁面と底面とを繋いでＬ字フレーム状に形成され外装体２２の剛性を向上させるとともに、右側のスライドレールは放出口２５の開口左縁に合わせて球抜き口２４の開口上縁近くまで高く形成されており、球抜き口２４から流下する遊技球を放出口２５に案内して遊技球がベース体２１と外装体２２との間の左側方領域に入り込まないようになっている。すなわちスライドレール２１２は、弁体２２０を前後スライド自在に支持するスライドレールとしての機能に加えて、外装体２２の補強フレームとしての機能と、既述した左側方転入防止壁１１６および左側方スライド転入防止壁１２６（図８等を参照）の機能とを兼ね備えた構成になっている。
【０１１１】
外装体２２の底面側では、左右のスライドレール２１２，２１２を繋ぐ底面の前方部分が上方にオフセットされて下方に開く凹状の操作部保護溝２１４が形成され、このオフセットされた底面の中央に前後に延びるスリット状の操作部ガイド孔２１３が開口形成されている。操作部ガイド孔２１３は、操作部材２３０の厚さよりも幾分大きめのスリット幅を有して形成され、操作部材２３０の操作部２３５を前後移動可能に操作部保護溝２１４に導出させるとともに、操作部ガイド孔２１３の後端位置は弁体２２０の開放位置に合わせて形成されており、操作部２３５が後方に押圧されて開放位置に到達したときに操作部２３５の鉛直端面と係合して後方への移動を規制し、弁体２２０を開放位置に規定する開放側規制部を形成する。
【０１１２】
そして、ベース体２１の前方から外装体２２を覆い被せて係合させると、区画壁６４の下方に、収容凹部６０の右側壁面、下球皿２３の左側壁面、区画壁係合部２０１、およびスライドレール２１２に囲まれて、前後に延びる断面視台形状の弁体収容部２１１が形成される。弁体収容部２１１の奥部ではベース体２１の立設壁面に、コイルスプリング２４７の内径よりも幾分小さめの外径を有する円柱状のバネ支柱２０７が前方に突出して形成されている。
【０１１３】
一方、弁体２２０は、弁体収容部２１１の断面形状に合わせて形成された中空ブロック状の本体部２２１と、この本体部２２１の下部に右側方に延びて形成されたシャッター部２２４、本体部２２１の前面から前方に延びて形成された操作部材２３０を主体とし、既述した弁体１２０と同様の樹脂材料を用いて成型される。
【０１１４】
本体部２２１の下面には、左右のスライドレール２１２，２１２と係脱自在な凹状のレール係合部２２２，２２２が前後に延びて形成され、弁体２２０を弁体収容部２１１に収容させたときにレール係合部２２２がスライドレール２１２と係合して支持され、本体部２２１が弁体収容部２１１の上方および左右の壁面と係合して、前後方向にスライド移動自在に支持されるようになっている。
【０１１５】
本体部２２１の内部中央には、コイルスプリング２４７の外径よりも幾分大きめの内径を有して後方に開く円筒収容部、およびコイルスプリング２４７の内径よりも幾分小さめの外径を有して円筒収容部内に突出するバネ支柱部からなるスプリング収容部２２７が形成されている。バネ支柱部の高さは、このバネ支柱部の高さとベース体側のバネ支柱２０７の高さを合計した寸法が、円筒収容部の深さ寸法よりも小さくなるように設定されている。
【０１１６】
シャッター部２２４は、球抜き口２４の下面側の高さ位置に合わせて本体部２２１の下部から右側方に張り出すプレート状に形成され、その左右方向の張出幅および前後方向寸法が球抜き口２４の開口幅および開口寸法よりも幾分大きめに形成されている。一方、球抜き口２４は下球皿２３の前方に形成され、球抜き口２４の開口後縁からベース体２１の立設壁面までの寸法がシャッター部２２４の前後方向寸法よりも大きく設定されている。
【０１１７】
このため、弁体２２０を閉鎖位置に位置させたときにシャッター部２２４が球抜き口２４の開口全体を閉鎖するとともに、弁体２２０を開放位置に位置させたときにシャッター部２２４の後端がベース体２１の立設壁面に当接することなく、球抜き口２４を完全に開放し得るようになっている。シャッター部２２４の前端には下方に延びる後方転入防止壁２２５が形成されており、シャッター部２２４を開放したときに球抜き口２４から流下する遊技球が下球皿２３の底面と外装体２２との間の後方領域に入り込まないようになっている。
【０１１８】
操作部材２３０は、本体部２２１の前面中央部に立設されて前方に延びる側面視三角形のプレート状をなし、その先端側が下方に延出されて後ろ向きの鉛直端面を有する操作部２３５が形成されている。操作部材２３０は、弁体２２０が組み付けられた状態で先端の操作部２３５が操作部ガイド孔２１３を通って操作部保護溝２１４に配設され外装体２２の底面よりも下方に突出しないように形成されるとともに、弁体２２０が閉鎖位置にあるときに操作部２３５の前端が外装体２２の前面よりもわずかに突出して指掛け容易に配設され、操作部２３５が後方に押圧されて弁体２２０が開放位置に達したときに操作部２３５の鉛直端面が操作部ガイド孔２１３の後端に係合して後方への移動が規制されるように構成される。
【０１１９】
以上のように構成される各部材がベース体２１と外装体２２との間に組み付けられて球抜き機構ＢＭ２が形成される。組み付けは、外装体２２の下球皿側の開口部から弁体２２０を斜めに挿入して操作部２３５を操作部ガイド孔２１３に挿通させ、レール係合部２２２をスライドレール２１２に係合させ、シャッター部２２４の先端を右側方転入防止壁２１６に係合させて支持させる。これにより弁体２２０が外装体２２に前後方向にスライド移動自在に支持される。
【０１２０】
次いで、ベース体のバネ支柱２０７（または弁体のスプリング収容部２２７）にコイルスプリング２４７の一端を支持させておき、ベース体２１の前方から外装体２２を覆い被せるように装着する。このときベース体の区画壁係合部２０１が外装体の区画壁６４と係合し、またベース体の右側方ガイド壁２０６が外装体の右側方転入防止壁２１６と係合して外装体２２を左右方向に位置決めし、外装体２２を案内するスライドガイドとして機能する。このスライド過程ではコイルスプリング２４７の他端側を弁体背面のスプリング収容部２２７（またはベース体正面のバネ支柱に２０７）支持させる。これによりコイルスプリング２４７がバネ支柱２０７とスプリング収容部２２７との間に前後に弾性変移自在に支持される。
【０１２１】
そして、外装体２２の後端各部がベース体２１の立設壁面に当接するまでスライドさせて突き当て、外装体のネジボスにベース体２１の後面側からネジを螺合させて締め込むことで、球抜き機構ＢＭ２が組み付けられ、球抜き機構を備えた下球皿構造体２０が形成される。
【０１２２】
こうして球抜き機構ＢＭ２が組み付けられると、弁体２２０は区画壁６４の下側の弁体収容部２１１に前後方向に水平変位可能に収容支持され、常にはコイルスプリング２４７により前方に付勢されてシャッター部前端の後方転入防止壁２２５が前方転入防止リブ２１５に当接して移動規制され、弁体２２０の本体部２２１およびシャッター部２２４が球抜き口２４の背面側で開口全体を閉鎖する閉鎖位置に保持される（図２４および図２５を参照）。従って、下球皿払出通路から払出バケット１８および下通出口１７を介して下球皿２３に払い出された遊技球が閉鎖位置にある弁体２２０により流下規制され下球皿２３に貯留される。操作部材２３０の操作部２３５は操作部保護溝２１４の前方に位置してその前端が外装体２２の前面側にわずかに突出して指掛け容易に配設される。なお、操作部２３５の前方への突出量は遊技球の球径の半分未満程度とされており、誤って操作部２３５に当接した場合でも球抜きされることがないようになっている。
【０１２３】
球抜き作業を行うには、操作部２３５に指を掛けて操作部材２３０をコイルスプリング２４７の付勢力に抗して前方に押圧する。すると弁体２２０が弁体収容部２１１内で後方にスライド移動し、本体部２２１およびシャッター部２２４が後方に移動して球抜き口２４が開かれる。そして操作部２３５後方の鉛直端面が操作部ガイド孔２１３の後端面に当接する規制位置まで押圧操作すると、弁体２２０の本体部２２１およびシャッター部２２４が球抜き口２４の開口全体を開放する開放位置に配設され（図２７を参照）、下球皿２３に貯留された遊技球が球抜き口２４および放出口２５を通って下方に準備された球箱ＢＢに流下する。
【０１２４】
球抜き口２４の下側では、球抜き口２４の前方に前方転入防止リブ２１５、球抜き口２４の右側方に右側方転入防止壁２１６、球抜き口２４の左側方に転入防止壁の機能を有するスライドレール２１２、シャッター部２２４の前端に後方転入防止壁２２５が配設されている。このため、弁体２２０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【０１２５】
また、コイルスプリング２４７の内周を支持するバネ支柱２０７と、コイルスプリング２４７の内外周を支持するスプリング収容部２２７とでコイルスプリング２４７の前後を支持するとともに、前後のバネ支柱の高さをスプリング収容部２２７の深さ寸法よりも小さく形成し、かつスプリング収容部２２７を弁体２２０の本体内部に形成している。このため、弁体２２０の開放位置において、後方に移動した弁体２２０（スプリング収容部２２７）の内部にバネ支柱２０７が受容され、コイルスプリング２４７の略全体が弁体２２０の内部に収容される。従って、コンパクトな構成で開口寸法の大きな球抜き機構を構成することができる。
【０１２６】
球抜き作業を終了するときには、操作部２３５を開放位置に保持させる押圧力を弱めればよい。前方への押圧力が弱められると、コイルスプリング２４７に蓄積された弾性力によってコイルスプリング２４７が伸長方向に自己復帰し、弁体２２０が弁体収容部２１１内を前方にスライド移動して、本体部２２１およびシャッター部２２４が球抜き口２４を閉じる。そしてシャッター部前端の後方転入防止壁２２５が前方転入防止リブ２１５に当接すると弁体２２０の前方への移動が規制され、所定の付勢力を保持した状態で本体部２２１およびシャッター部２２４が球抜き口２４の背面側で開口全体を閉鎖する閉鎖位置に保持される（図２４および図２５を参照）。
【０１２７】
このように、球抜き機構ＢＭ２では、球抜き口２４の開閉操作を行う操作部２３５が下球皿２３の左側に位置して前後方向にスライド操作可能に設けられているため、右手で発射ハンドル１４を回動操作したまま左手で球抜き操作を簡単に行うことができる。
【０１２８】
また、操作部２３５が下球皿構造体２０の下面側の操作部保護溝２１４に前後方向にスライド操作可能に設けられているため、遊技者が座席から立ち上がったり着座しようとするとき、あるいは隣接するパチンコ機に放置された球箱を取ろうとして横を向いたときなどに、たとえ下球皿構造体２０の前面にぶつかっても操作部２３５が開方向に誤操作されて球抜き口２４が開放されるようなことがなく、遊技球を周囲にまき散らしてしまうような事態が生じない。さらに、球抜き機構の主要構成部が区画壁６４の下部領域を有効に利用して構成されるとともに、操作部２３５が区画壁下方の構造体下面側に配設されるため、コンパクトな構成で操作性の良好な球抜き機構を提供することができる。また、操作部材２３０を挿通させる操作部ガイド孔２１３が球皿構造体２０の下面側に形成されているため、タバコの灰やごみ等の侵入を効果的に防止し得る構成になっている。
【０１２９】
従って、以上説明した球抜き機構ＢＭ２によれば、誤操作による遊技球の飛散を有効に防止して、遊技者にとって操作性の良好な球抜き機構を提供することができる。
【０１３０】
（球抜き機構ＢＭ３）
次に、第３構成形態の球抜き機構ＢＭ３について、図２８〜図３８の各図を参照して説明する。ここで、図２８は球抜き機構ＢＭ３を備えたパチンコ機ＰＭにおけるガラス扉５および上球皿構造体６を開放した状態の正面図（図１に対応する正面図）、図２９は灰皿構造ＡＴ１を左斜め前方から見た斜視図（図２に対応する斜視図）、図３０は灰皿装着状態における灰皿中央部での側断面図（図３に対応する側断面図）、図３１は灰皿脱着時における灰皿中央部での側断面図（図４に対応する側断面図）であるが、パチンコ機ＰＭの本体構成および下球皿構造体２０に設けられる灰皿構造ＡＴ（ＡＴ１，ＡＴ２）の構成については既に詳述した内容と同様であるため、図２８〜図３１の各図における同様部分に同一番号を付して重複説明を省略する。
【０１３１】
一方、図３２は球抜き機構ＢＭ３の構造を斜め前方から見た分解斜視図、図３３は球抜き機構ＢＭ３における弁体３２０を主として示す斜め後方から見た斜視図、図３４は球抜き機構ＢＭ３を正面側から見た部分断面図、図３５は球抜き機構ＢＭ３における操作部材の支持形態を主として示す断面図、図３６は球抜き機構ＢＭ３の平面図、図３７は球抜き機構ＢＭ３を下球皿２３側から見た側断面図、図３８は球抜き機構ＢＭ３により球抜き口を開放した状態の側断面図である。
【０１３２】
球抜き機構ＢＭ３は下球皿構造体２０に設けられており、底部に球抜き口２４を有し上方に開口する皿部内に遊技球を貯留する下球皿２３と、球抜き口の背面側に水平変位可能に配設され球抜き口２４を開閉する弁体３２０と、弁体３２０の変位操作を行う操作部材３３０とを備え、操作部材３３０の操作部３３５が下球皿２３の左側における下球皿構造体２０の前面側に上下方向に揺動操作可能に設けられ、操作部３３５を揺動操作したときに弁体３２０が水平変位して球抜き口２４を開閉するとともに、球抜き口２４が閉鎖された状態において操作部３３５が下球皿構造体２０の前端よりも後方に配設されるように構成される。
【０１３３】
下球皿構造体２０は、既述した各下球皿構造体と同様に、下球皿構造体２０の基体をなすベース体２１と、下球皿構造体２０の外殻をなす外装体２２とを主体とし、ベース体２１の前方から外装体２２を覆い被せるように装着して、ベース体２１の後面側から外装体２２をネジ固定することで一体のアッセンブリに形成される。
【０１３４】
ベース体２１には、底面が緩く前方および左方に下傾して上面開放の深皿形態をなす下球皿２３が一体に成型され、傾斜下端の左前方部に、底面から左側壁にかけて上下連通する球抜き口２４が開口形成されている。
【０１３５】
下球皿２３の左上方には外装体２２に形成された区画壁６４の内側形状と整合して前後方向に係脱自在な区画壁係合部３０１が設けられ、区画壁係合部３０１の前端部には下方に突出する左右一対の軸支プレートからなる支持ブラケット３０２が設けられている。支持ブラケット３０２の内面間隔、すなわち相対峙する左右の軸支プレートの内面間隔は、後述する操作部材３３０のボス部３３２の厚さ寸法よりも幾分大きめに設定され、ボス部３３２を左右の軸支プレート間に受容可能に形成されるとともに、各軸支プレートの中央部には枢結ピン３４２を嵌挿させる軸支孔３０２ｈが位置整合して形成されている。また、左右の軸支プレート間を繋ぐ支持部には、操作部材の本体プレート部３３１の厚さよりも幾分大きめの溝幅を有して前後に延びるスリット状の操作部材受容溝３０３が前端開放形態で形成されている。なお支持ブラケット３０２を別体に形成し（例えば左右の軸支プレートを含む区画壁係合部３０１の前端部を金属または樹脂材料を用いて別体に形成し）、これを区画壁係合部３０１に取着する構成にしてもよい。
【０１３６】
下球皿２３の下面側では、球抜き口２４の周囲に前方転入防止壁３０５と右側方ガイド壁３０６が形成されている。前方転入防止壁３０５は、球抜き口２４の前方に位置して下向きに突出成型され、球抜き口２４から流下する遊技球が下球皿２３の底面と外装体２２との間の前方領域に入り込むことを防止するとともに、弁体３２０の閉鎖姿勢においてシャッター部前端の後方転入防止壁３２５と係合して支持し、弁体３２０の移動範囲を規定する閉鎖側規制部を形成する。また右側方ガイド壁３０６は、球抜き口２４の右側方に位置して下向きに突出成型されており、外装体２２を装着する際に外装体２２の右側方転入防止壁３１６と係合してスライド装着を案内するガイド壁として機能するほか、右側方転入防止壁３１６と協働してシャッター部３２４の先端部を案内するガイド溝を形成する。
【０１３７】
一方、外装体２２は、全体として灰皿構造ＡＴの収容凹部６０（８０）および下球皿２３の開口上面を除くベース体２１の上下および前面を覆う外殻カバー状に形成されている。外装体２２の上面側では、区画壁６４の右側壁の下部に下球皿２３の上縁フランジ面と係合するリブフランジが形成され、その下側に区画壁６４の下部領域と下球皿２３側とを左右に連通する開口部が形成されている。
【０１３８】
外装体２２の底面側には、下球皿側の球抜き口２４よりも大きな開口幅を有して上下に連通し、組立状態において球抜き口２４の下方に位置する放出口２５が開口形成されている。放出口２５の右側方には、放出口２５の開口右縁に沿って右側方転入防止壁３１６が形成されており、球抜き口２４から流下する遊技球が下球皿２３の底面と外装体２２との間の右側方領域に入り込むことを防止するとともに、シャッター部３２４の先端部をスライド自在に支持する支持レールとしても機能する。
【０１３９】
区画壁６４の下方では、外装体２２の前方壁面および底面から内側に突出して前後に延びる２本のスライドレール３１２，３１２が左右に並んで平行に形成されている。左右のスライドレール３１２は、前方壁面と底面とを繋いでＬ字フレーム状に形成され外装体２２の剛性を向上させるとともに、右側のスライドレールは放出口２５の開口左縁に合わせて球抜き口２４の開口上縁近くまで高く形成されており、球抜き口２４から流下する遊技球を放出口２５に案内して遊技球がベース体２１と外装体２２との間の左側方領域に入り込まないようになっている。すなわちスライドレール３１２は、弁体３２０を前後スライド自在に支持するスライドレールとしての機能に加えて、外装体２２の補強フレームとしての機能と、既述した左側方転入防止壁１１６および左側方スライド転入防止壁１２６（図８等を参照）の機能とを兼ね備えた構成になっている。
【０１４０】
外装体２２の前面側では、左右のスライドレール３１２，３１２間の前方壁面が凹設されて上下に延びる凹状の操作部保護溝３１４が形成され、この溝底面の中央にスリット状の操作部ガイド孔３１３が開口形成されている。操作部ガイド孔３１３は、操作部材３３０の操作部３３５の厚さよりも幾分大きめのスリット幅を有して上下方向に形成されており、操作部３３５を操作部保護溝３１４に導出するとともに、操作部３３５の上下揺動をガイドするようになっている。
【０１４１】
ベース体２１の前方から外装体２２を覆い被せて係合させると、区画壁６４の下方に、収容凹部６０の右側壁面、下球皿２３の左側壁面、区画壁係合部３０１、およびスライドレール３１２に囲まれて、前後に延びる断面視台形状の弁体収容部３１１が形成される。弁体収容部３１１の奥部ではベース体２１の立設壁面に、コイルスプリング３４７の内径よりも幾分小さめの外径を有する円柱状のバネ支柱３０７が前方に突出して形成されている。
【０１４２】
一方、弁体３２０は、弁体収容部３１１の断面形状に合わせて形成された中空ブロック状の本体部３２１と、この本体部３２１の下部に右側方に延びて形成されたシャッター部３２４、本体部３２１の前面から前方に延びて形成された左右一対のリンクアーム３２６などを主体とし、既述した弁体１２０と同様の樹脂材料を用いて成型される。
【０１４３】
本体部３２１の下面には、左右のスライドレール３１２，３１２と係脱自在な凹状のレール係合部３２２，３２２が前後に延びて形成され、弁体３２０を弁体収容部３１１に収容させたときにレール係合部３２２がスライドレール３１２と係合して支持され、本体部３２１が弁体収容部３１１の上方および左右の壁面と係合して、前後方向にスライド移動自在に支持されるようになっている。
【０１４４】
本体部３２１の内部中央には、コイルスプリング３４７の外径よりも幾分大きめの内径を有して後方に開く円筒収容部、およびコイルスプリング３４７の内径よりも幾分小さめの外径を有して円筒収容部内に突出するバネ支柱部、からなるスプリング収容部３２７が形成されている。バネ支柱部の高さは、このスプリング収容部側のバネ支柱部の高さとベース体側のバネ支柱３０７の高さを合計した寸法が、円筒収容部の深さ寸法よりも小さくなるように設定されている。
【０１４５】
シャッター部３２４は、球抜き口２４の下面側の高さ位置に合わせて本体部３２１の下部から右側方に張り出すプレート状に形成され、その左右方向の張出幅および前後方向寸法が球抜き口２４の開口幅および開口寸法よりも幾分大きめに形成されている。一方、球抜き口２４は下球皿２３の前方に形成され、球抜き口２４の開口後縁からベース体２１の立設壁面までの寸法がシャッター部３２４の前後方向寸法よりも大きく設定されている。
【０１４６】
このため、弁体３２０を閉鎖位置に位置させたときにシャッター部３２４が球抜き口２４の開口全体を閉鎖するとともに、弁体３２０を開放位置に位置させたときにシャッター部３２４の後端がベース体２１の立設壁面に当接することなく、球抜き口２４を完全に開放し得るようになっている。シャッター部３２４の前端には下方に延びる後方転入防止壁３２５が形成されており、シャッター部３２４を開放したときに球抜き口２４から流下する遊技球が下球皿２３の底面と外装体２２との間の後方領域に入り込まないようになっている。
【０１４７】
左右一対のリンクアーム３２６は、本体部３２１の前面下部から前方斜め下方に延びて形成され、その先端側が下方に延出されてフック状に形成されている。左右のリンクアームの内面間隔は、操作部材３３０における揺動アーム３３６の厚さ寸法よりも幾分大きめに設定され、左右のリンクアーム３２６，３２６の間に揺動アーム３３６を受容可能に形成されるとともに、各リンクプレートの前端部にアーム連結ピン３４６を嵌挿させる軸支孔３２６ｈが位置整合して形成されている。
【０１４８】
操作部材３３０は、平板状の本体プレート部３３１と、この本体プレート部３３１の端部に本体プレート部よりも厚めの円盤フランジ状に形成されたボス部３３２とを有し、例えば弁体３２０と同様にＡＢＳ樹脂などの熱可塑性樹脂材料を用いて射出成型等の成形手段で一体に成型される。
【０１４９】
本体プレート部３３１は、全体としてボス部３３２を中心とする扇形に形成されており、その一側縁側が先端円弧形のレバー状に延出されて操作部３３５が形成され、他側縁側が同様に延出されて揺動アーム部３３６が形成されている。ボス部３３２の中心には枢結ピン３４２を嵌挿させる軸受孔３３２ｈが形成され、揺動アーム部３３６の先端部にはアーム連結ピン３４６を挿通させるピン係合孔３３６ｈがアームの延びる方向に長孔状に形成されている。
【０１５０】
操作部３３５と揺動アーム部３３６の相対角度および各アーム長さは、ボス部３３２を枢結ピン３４２により支持ブラケット３０２に枢結し、操作部３３５を操作部保護溝３１４の高さ範囲内で上下方向に揺動させたときに、これに伴って揺動される揺動アーム部３３６が外装体２２の内側で前後方向に移動し、かつこのときのピン係合孔３３６ｈの前後方向への移動量（揺動アームのアーム長さ×揺動角度）が、シャッター部３２４を閉鎖位置と開放位置との間でスライド移動させるために必要なストロークを満すように設定される。
【０１５１】
球抜き機構ＢＭ３では、操作部３３５と揺動アーム部３３６の相対角度を略９０度に設定して操作部３３５を前方に、揺動アーム部３３６を下方に配設するとともに、揺動支点となる支持ブラケット３０２を外装体２２の内部上方に設けることで下方に延びる揺動アーム３３６のアーム長さを確保し、これにより操作部３３５の揺動操作角度を操作部保護溝３１４の上端から中央下部までの６０度程度の小さい角度範囲に抑えながら、シャッター部３２４を閉鎖位置と開放位置との間でスライド移動させるための必要ストロークを満すように構成している。
【０１５２】
揺動アーム３３６の先端部に形成された長孔状のピン係合孔３３６ｈは、その幅寸法がアーム連結ピン３４６の軸径と略同一に形成される一方、長さ寸法は操作部３３５を上下に揺動させたときに揺動アーム３３６の先端部が上下方向に変位する変位量よりも大きめに形成されている。このため、揺動アームのピン係合孔３３６ｈとリンクアームの軸支孔３２６ｈとをアーム連結ピン３４６で連結し、操作部材３３０を揺動させたときに、操作部材３３０と弁体３２０とが前後方向にガタなく嵌合して操作力を弁体に伝達するとともに、揺動アーム３２６の揺動に伴う上下方向の変位に対してアーム連結ピン３４６がピン係合孔内を上下に移動して揺動アームの相対変位を許容し、操作部材３３０の揺動角度に応じたストロークで弁体３２０を前後方向にスライドさせる。
【０１５３】
また操作部３３５は、弁体３２０および操作部材３３０が組み付けられた状態で操作部ガイド孔３１３を通って操作部保護溝３１４に配設され、シャッター部３２４が球抜き口２４を塞ぐ閉鎖位置あるときに操作部保護溝３１４の上端部に位置して外装体２２の前端よりも突出しないように配置され（図３７を参照）、シャッター部３２４が球抜き口２４を開放する開放位置にあるときに操作部保護溝３１４の中央下部に位置して保持容易に配置されるようになっている（図３８を参照）。
【０１５４】
以上のように構成される弁体３２０および操作部材３３０をベース体２１に組み付け、その前方から外装体２２を覆い被せるように装着することで、球抜き機構ＢＭ３が形成される。組み付けは、ベース体２１における支持ブラケット３０２の左右の軸支プレート間に操作部材のボス部３３２を受容させ、支持ブラケット３０２の一側方から軸支孔３０２ｈおよび軸受孔３３２ｈを通して枢結ピン３４２を嵌挿し、他側方に突出した枢結ピン３４２の先端側のリング溝にＥリングを嵌着する。これにより操作部材３３０が支持ブラケット３０２に枢結され、操作部材３３０が枢結ピン３４２の軸と直交する面内で揺動自在に支持ブラケット３０２に支持される。
【０１５５】
次に、操作部材３３０における揺動アーム３３６の先端部に、この揺動アームの左右側面を挟むように弁体３２０の左右のリンクアーム３２６を係合させて、リンクアーム３２６の一側方から軸支孔３２６ｈおよびピン係合孔３３６ｈを通してアーム連結ピン３４６を嵌挿し、他側方に突出したアーム連結ピン３４６の先端側のリング溝にＥリングを嵌着する。これにより揺動アーム３３６とリンクアーム３２６とがピン係合され、弁体３２０が操作部材３３０の揺動面と同一面内で相対揺動自在に連結される。
【０１５６】
こうして操作部材３３０に連結された弁体３２０を上方に揺動させて、本体部３２１の上面および右側面を区画壁係合部３０１の下縁および下球皿２３の左側面に係合支持させ、相対峙する弁体側のスプリング収容部３２７とベース体側のバネ支柱３０７との間にコイルスプリング３４７を嵌着する。
【０１５７】
そして、ベース体２１の前方から外装体２２を覆い被せるように装着する。このときベース体の区画壁係合部３０１が外装体の区画壁６４と係合し、またベース体の右側方ガイド壁３０６が外装体の右側方転入防止壁３１６と係合して外装体２２を左右方向に位置決めし、外装体２２を案内するスライドガイドとして機能する。このスライド過程で弁体３２０の下面側に形成されたレール係合部３２２がスライドレール３１２と係合して本体部３２１が弁体収容部３１１に前後にスライド移動可能に支持され、操作部材３３０の操作部３３５が操作部ガイド孔３１３を通ってレバー収容部３１４に突出する。
【０１５８】
そして、外装体２２の後端各部がベース体２１の立設壁面に当接するまでスライドさせて突き当て、外装体のネジボスにベース体２１の後面側からネジを螺合させて締め込むことで、球抜き機構ＢＭ３が組み付けられ、球抜き機構を備えた下球皿構造体２０が形成される。
【０１５９】
こうして球抜き機構ＢＭ３が組み付けられると、弁体３２０は区画壁６４の下側の弁体収容部３１１に前後方向に水平変位可能に収容支持され、常にはコイルスプリング３４７により前方に付勢されてシャッター部前端の後方転入防止壁３２５が前方転入防止壁３０５に当接して移動規制され、弁体３２０の本体部３２１およびシャッター部３２４が球抜き口２４の背面側で開口全体を閉鎖する閉鎖位置に保持される（図３６および図３７を参照）。従って、下球皿払出通路から払出バケット１８および下通出口１７を介して下球皿２３に払い出された遊技球が閉鎖位置にある弁体３２０により流下規制され下球皿２３に貯留される。
【０１６０】
このとき操作部材３３０は、弁体３２０のリンクアーム３２６とアーム連結ピン３４６で連結された揺動アーム３３６の配設位置より揺動角度位置が規定され、操作部３３５は外装体２２の前端よりも突出することなく操作部保護溝３１４の上端部に位置して配置される。
【０１６１】
球抜き作業を行うには、操作部３３５に指を掛けて下方に押圧し、コイルスプリング３４７の付勢力に抗して操作部３３５を下方に揺動させる。すると後方に揺動する揺動アーム３３６によりアーム連結ピン３４６を介して弁体３２０が後方に押圧され、操作部材３３０の揺動角度に応じたストロークで弁体３２０が弁体収容部３１１内を後方にスライド移動し、本体部３２１およびシャッター部３２４が後方に移動して球抜き口２４が開かれる。
【０１６２】
そして操作部３３５が操作部保護溝３１４の中央下部に位置するまで揺動されると、弁体３２０の本体部３２１およびシャッター部３２４が球抜き口２４の開口全体を開放する開放位置に配設され（図３８を参照）、下球皿２３に貯留された遊技球が球抜き口２４および放出口２５を通って下方に準備された球箱ＢＢに流下する。なお操作部ガイド孔３１３の下端をこの開放位置に合わせて形成し、操作部３３５の揺動角度位置を規定するように構成してもよい。
【０１６３】
球抜き口２４の下側では、球抜き口２４の前方に前方転入防止壁３０５、球抜き口２４の右側方に右側方転入防止壁３１６、球抜き口２４の左側方に転入防止壁の機能を有するスライドレール３１２、シャッター部３２４の前端に後方転入防止壁３２５が配設されている。このため、弁体３２０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【０１６４】
また、コイルスプリング３４７の内周を支持するバネ支柱３０７と、コイルスプリング３４７の内外周を支持するスプリング収容部３２７とでコイルスプリング３４７の前後を支持するとともに、前後のバネ支柱の高さをスプリング収容部３２７の深さ寸法よりも小さく形成し、かつスプリング収容部３２７を弁体３２０の本体内部に形成している。このため、弁体３２０の開放位置において、後方に移動した弁体３２０（スプリング収容部３２７）の内部にバネ支柱３０７が受容され、コイルスプリング３４７の略全体が弁体３２０の内部に収容される。従って、コンパクトな構成で開口寸法の大きな球抜き機構を構成することができる。
【０１６５】
球抜き作業を終了するときには、操作部３３５を開放位置に保持させる押圧力を弱めればよい。下方への押圧力が弱められると、コイルスプリング３４７に蓄積された弾性力によってコイルスプリング３４７が伸長方向に自己復帰し、弁体３２０が弁体収容部３１１内を前方にスライド移動して、本体部３２１およびシャッター部３２４が球抜き口２４を閉じる。またこれに伴いアーム連結ピン３４６で連結された操作部材３３０が弁体３２０の前方移動に応じて揺動され、操作部３３５が弁体３２０の移動量に応じた揺動角度で上方に揺動される。
【０１６６】
そしてシャッター部前端の後方転入防止壁３２５が前方転入防止壁３０５に当接すると弁体３２０の前方への移動が規制され、所定の付勢力を保持した状態で本体部３２１およびシャッター部３２４が球抜き口２４の背面側で開口全体を閉鎖する閉鎖位置に保持され、操作部３３５が操作部保護溝３１４の上端部に配置される。（図３７を参照）。
【０１６７】
このように、球抜き機構ＢＭ３では、球抜き口２４の開閉操作を行う操作部３３５が下球皿２３の左側に位置して上下方向に揺動操作可能に設けられているため、右手で発射ハンドル１４を回動操作したまま左手で球抜き操作を簡単に行うことができる。
【０１６８】
また、操作部３３５が下球皿構造体２０の前面側に上下方向に揺動操作可能に設けられ、球抜き口２４が閉鎖された状態において操作部３３５が下球皿構造体２０の前端よりも後方の操作部保護溝３１４に配設されるように構成される。このため、遊技者が座席から立ち上がったり着座しようとするとき、あるいは隣接するパチンコ機に放置された球箱を取ろうとして横を向いたときなどに、たとえ下球皿構造体２０の前面にぶつかっても操作部３３５が開方向に誤操作されて球抜き口２４が開放されるようなことがなく、遊技球を周囲にまき散らしてしまうような事態が生じない。さらに、球抜き機構の主要構成部が区画壁６４の下部領域を有効に利用して構成されるとともに、操作部３３５が区画壁６４の前方の構造体前面側に配設されるため、コンパクトな構成で操作性の良好な球抜き機構を提供することができる。また、操作部材３３０を挿通させる操作部ガイド孔３１３が球皿構造体２０の前面側に形成されているため、タバコの灰やごみ等が球抜き機構の内部に侵入しにくい構成になっている。
【０１６９】
従って、以上説明した球抜き機構ＢＭ３によれば、誤操作による遊技球の飛散を有効に防止して、遊技者にとって操作性の良好な球抜き機構を提供することができる。
【０１７０】
（球抜き機構ＢＭ４）
次に、第４構成形態の球抜き機構ＢＭ４について、図３９および図４０を参照して説明する。ここで、図３９は球抜き機構ＢＭ４を正面側から見た断面図（図３５に対応する断面図）、図４０は球抜き機構ＢＭ４を下球皿２３側から見た側断面図（図３８に対応する断面図）である。なお、図３９と図３５、図４０と図３８をそれぞれ比較しても明らかなように、本構成形態の球抜き機構ＢＭ４は、球抜き口２４を開閉操作する操作部（４３５，３３５）の配設位置が相違するほか、灰皿構造ＡＴ（ＡＴ１，ＡＴ２）や下球皿構造体２０の基本構成は前述した球抜き機構ＢＭ３と同様である。そこで適宜図２８〜図３８の各図を参酌するとともに同様の部材に同一番号を付して重複説明を省略し、球抜き機構ＢＭ３と相違する部分を中心に説明する。
【０１７１】
球抜き機構ＢＭ４は、底部に球抜き口２４を有し上方に開口する皿部内に遊技球を貯留する下球皿２３と、球抜き口の背面側に水平変位可能に配設され球抜き口２４を開閉する弁体３２０と、弁体３２０の変位操作を行う操作部材４３０とを備え、操作部材４３０の操作部４３５が下球皿２３の左側における下球皿構造体２０の上面側に前後方向に揺動操作可能に設けられ、操作部４３５を揺動操作したときに弁体３２０が水平変位して球抜き口２４を開閉するように構成される。
【０１７２】
ベース体２１の下球皿２３の左上方には、外装体２２に形成された区画壁６４の内側形状と整合して前後方向に係脱自在な区画壁係合部４０１が設けられ、区画壁係合部４０１の前端部には下方に突出する左右一対の軸支プレートからなる支持ブラケット３０２が設けられている。左右の軸支プレートの内面間隔は、操作部材４３０のボス部４３２の厚さ寸法よりも幾分大きめに設定され、各軸支プレートの中央部には枢結ピン３４２を嵌挿させる軸支孔３０２ｈが左右に位置整合して形成されている（図３２を参照）。左右の軸支プレート間を繋ぐ支持部には、操作部材の本体プレート部４３１の厚さよりも幾分大きめの溝幅を有して前後に延びるスリット状の操作部材受容溝４０３が前端開放形態で形成されている。
【０１７３】
一方、外装体２２における区画壁６４の上面側には、区画壁係合部４０１側の上方に位置整合してスリット状の操作部ガイド孔４１３が開口形成されている。操作部ガイド孔４１３は、操作部材４３０の操作部４３５の厚さよりも幾分大きめのスリット幅を有して前後方向に形成されており、操作部４３５を区画壁６４の上面側に導出するとともに、操作部４３５の前後揺動をガイドするようになっている。
【０１７４】
区画壁６４の下方では、左右一対のスライドレール３１２，３１２が外装体２２の前方壁面および底面から内側に突出して形成されており、ベース体２１の前方に外装体２２を覆い被せて装着したときに、区画壁６４の下方に、収容凹部６０の右側壁面、下球皿２３の左側壁面、区画壁係合部４０１、およびスライドレール３１２に囲まれて、前後に延びる断面視台形状の弁体収容部３１１が形成される。
【０１７５】
弁体３２０は、弁体収容部３１１の断面形状に合わせて形成された中空ブロック状の本体部３２１を基体とし、この本体部３２１の下面側に形成された左右一対のレール係合部３２２、本体部３２１から右側方に延びて形成されたシャッター部３２４、シャッター部３２４の前端に形成された後方転入防止壁３２５、本体部３２１の前面から前方に延びて形成された左右一対のリンクアーム３２６、本体部３２１の内部に形成されたスプリング収容部３２７などを有して構成される。なお各部の構成内容は前述したとおりである（図３２および図３３を参照）。
【０１７６】
一方、操作部材４３０は、平板状の本体プレート部４３１と、この本体プレート部４３１の略中央に本体プレート部よりも厚めの円盤フランジ状に形成されたボス部４３２とを有し、前述した操作部材３３０と同様の成形手段で形成される。本体プレート部４３１の一部はボス部を中心に外周方向に延出されて扇状の操作部４３５が形成され、ボス部４３２を挟んで反対側にはレバー状の揺動アーム部４３６が形成されている。ボス部４３２の中心には枢結ピン３４２を嵌挿させる軸受孔４３２ｈが形成され、揺動アーム部４３６の先端部にはアーム連結ピン３４６を挿通させるピン係合孔４３６ｈがアームの延びる方向に長孔状に形成されている。
【０１７７】
揺動アーム部４３６のアーム長さおよび操作部４３５の形成角度は、ボス部４３２を枢結ピン３４２により支持ブラケット３０２に枢結し、操作部４３５を区画壁６４の上面側で前後に揺動させたときに、これに伴って揺動される揺動アーム部４３６が外装体２２の内側で前後方向に移動し、かつこのときのピン係合孔４３６ｈの前後方向への移動量（揺動アームのアーム長さ×揺動角度）が、シャッター部３２４を閉鎖位置と開放位置との間でスライド移動させるために必要なストロークを満すように設定される。
【０１７８】
球抜き機構ＢＭ４では、揺動支点となる支持ブラケット３０２を外装体２２の内部上方に設けることで、下方に延びる揺動アーム４３６のアーム長さを確保し、６０度程度の小さい揺動操作角度でシャッター部３２４を閉鎖位置と開放位置との間でスライド移動させる必要ストロークを満すように構成し、この揺動操作角度に合わせて操作部４３５を形成している。
【０１７９】
揺動アーム４３６の先端部に形成された長孔状のピン係合孔４３６ｈは、その幅寸法がアーム連結ピン３４６の軸径と略同一に形成される一方、長さ寸法は操作部４３５を前後に揺動させたときに揺動アーム４３６の先端部が上下方向に変位する変位量よりも大きめに形成されている。このため、揺動アームのピン係合孔４３６ｈとリンクアームの軸支孔３２６ｈとをアーム連結ピン３４６で連結し、操作部材４３０を揺動させたときに、操作部材４３０と弁体３２０とが前後方向にガタなく嵌合して操作力を弁体に伝達するとともに、揺動アーム３２６の揺動に伴う上下方向の変位に対してアーム連結ピン３４６がピン係合孔内を上下に移動して揺動アームの相対変位を許容し、操作部材４３０の揺動角度に応じたストロークで弁体３２０を前後方向にスライドさせる。
【０１８０】
操作部４３５は、弁体３２０および操作部材４３０が組み付けられた状態で操作部ガイド孔４１３を通って区画壁６４の上面側にわずかに（２〜５mm程度）突出して配設され、シャッター部３２４が球抜き口２４を塞ぐ閉鎖位置あるときに、図４０に二点鎖線で付記する揺動角度位置に配置され、シャッター部３２４が球抜き口２４を開放する開放位置にあるときに図４０に実線で示す揺動角度位置に配置されるようになっている。なお操作部４３５の外周縁面には平目ローレットが形成されており、前後方向の揺動操作を容易に行い得るようになっている。
【０１８１】
以上のように構成される弁体３２０および操作部材４３０をベース体２１に組み付け、その前方から外装体２２を覆い被せるように装着することで、球抜き機構ＢＭ４が形成される。組み付けは、ベース体２１の操作部材受容溝４０３に操作部４３５を受容させ、支持ブラケット３０２の左右の軸支プレート間にボス部４３２を受容させて、支持ブラケット３０２の一側方から軸支孔３０２ｈおよび軸受孔４３２ｈを通して枢結ピン３４２を嵌挿し、他側方に突出した枢結ピン３４２の先端側のリング溝にＥリングを嵌着する。これにより操作部材４３０が支持ブラケット３０２に枢結され、操作部材４３０が枢結ピン３４２の軸と直交する面内で揺動自在に支持ブラケット３０２に支持される。
【０１８２】
次に、操作部材４３０における揺動アーム４３６の先端部に、この揺動アームの左右側面を挟むように弁体３２０の左右のリンクアーム３２６を係合させて、リンクアーム３２６の一側方から軸支孔３２６ｈおよびピン係合孔４３６ｈを通してアーム連結ピン３４６を嵌挿し、他側方に突出したアーム連結ピン３４６の先端側のリング溝にＥリングを嵌着する。これにより揺動アーム４３６とリンクアーム３２６とがピン係合され、弁体３２０が操作部材４３０の揺動面と同一面内で相対揺動自在に連結される。
【０１８３】
こうして操作部材４３０に連結された弁体３２０を上方に揺動させて、本体部３２１の上面および右側面を区画壁係合部４０１の下縁および下球皿２３の左側面に係合支持させ、相対峙する弁体側のスプリング収容部３２７とベース体側のバネ支柱３０７との間にコイルスプリング３４７を嵌着する。
【０１８４】
そして、ベース体２１の前方から外装体２２を覆い被せるように装着する。このときベース体の区画壁係合部４０１が外装体の区画壁６４と係合し、またベース体の右側方ガイド壁３０６が外装体の右側方転入防止壁３１６と係合して外装体２２を左右方向に位置決めし、外装体２２を案内するスライドガイドとして機能する（図３４および図３６を参照）。このスライド過程で弁体３２０の下面側に形成されたレール係合部３２２がスライドレール３１２と係合して本体部３２１が弁体収容部３１１に前後にスライド移動可能に支持され、操作部材４３０の操作部４３５が操作部ガイド孔４１３を通って区画壁６４の上面側に突出する。
【０１８５】
そして、外装体２２の後端各部がベース体２１の立設壁面に当接するまでスライドさせて突き当て、外装体のネジボスにベース体２１の後面側からネジを螺合させて締め込むことで、球抜き機構ＢＭ４が組み付けられ、球抜き機構を備えた下球皿構造体２０が形成される。
【０１８６】
こうして球抜き機構ＢＭ４が組み付けられると、弁体３２０は区画壁６４の下側の弁体収容部３１１に前後方向に水平変位可能に収容支持され、常にはコイルスプリング３４７により前方に付勢されてシャッター部前端の後方転入防止壁３２５が前方転入防止壁３０５に当接して移動規制され、弁体３２０の本体部３２１およびシャッター部３２４が球抜き口２４の背面側で開口全体を閉鎖する閉鎖位置に保持される（図３６および図３７を参照）。従って、下球皿払出通路から下球皿２３に払い出された遊技球が閉鎖位置にある弁体３２０により流下規制され下球皿２３に貯留される。
【０１８７】
このとき操作部材４３０は、弁体３２０のリンクアーム３２６とアーム連結ピン３４６で連結された揺動アーム４３６の配設位置より揺動角度位置が規定され、操作部４３５は図４０に二点鎖線で示す角度姿勢で区画壁６４の上面にわずかに突出して配設される。
【０１８８】
球抜き作業を行うには、操作部４３５の外周縁面（ローレット目）に指や手を掛けて手前（前方）に引き、コイルスプリング３４７の付勢力に抗して前方に揺動させる。すると後方に揺動する揺動アーム４３６によりアーム連結ピン３４６を介して弁体３２０が後方に押圧され、操作部材４３０の揺動角度に応じたストロークで弁体３２０が弁体収容部３１１内を後方にスライド移動し、本体部３２１およびシャッター部３２４が後方に移動して球抜き口２４が開かれる。
【０１８９】
そして操作部４３５が図４０に実線で示す揺動角度位置まで揺動されると、弁体３２０の本体部３２１およびシャッター部３２４が球抜き口２４の開口全体を開放する開放位置に配設され、下球皿２３に貯留された遊技球が球抜き口２４および放出口２５を通って下方に準備された球箱ＢＢに流下する。
【０１９０】
球抜き口２４の下側では、球抜き口２４の前方に前方転入防止壁３０５、右側方に右側方転入防止壁３１６、左側方に転入防止壁の機能を有するスライドレール３１２、後方のシャッター部前端に後方転入防止壁３２５が配設されているため（図３６を併せて参照）、弁体３２０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【０１９１】
また、コイルスプリング３４７を支持する前後のバネ支柱の高さをスプリング収容部３２７の深さ寸法よりも小さく形成し、かつスプリング収容部３２７を弁体３２０の本体内部に形成しているため、弁体３２０が後方に移動した開放位置においてバネ支柱３０７が弁体３２０の内部に受容され、コイルスプリング３４７の略全体が弁体３２０の内部に収容される。従って、コンパクトな構成で開口寸法の大きな球抜き機構を構成することができる。
【０１９２】
球抜き作業を終了するときには、操作部４３５を開放位置に保持させる引き留め力を弱めればよい。引き留め力が弱められると、コイルスプリング３４７に蓄積された弾性力によってコイルスプリング３４７が伸長方向に自己復帰し、弁体３２０が弁体収容部３１１内を前方にスライド移動して、本体部３２１およびシャッター部３２４が球抜き口２４を閉じる。またこれに伴いアーム連結ピン３４６で連結された操作部材４３０が弁体３２０の前方移動に応じて揺動され、操作部４３５が弁体３２０の移動量に応じた揺動角度で後方に揺動される。
【０１９３】
そしてシャッター部前端の後方転入防止壁３２５が前方転入防止壁３０５に当接すると弁体３２０の前方への移動が規制され（図３６および図３７を参照）、所定の付勢力を保持した状態で本体部３２１およびシャッター部３２４が球抜き口２４の背面側で開口全体を閉鎖する閉鎖位置に保持され、操作部４３５が図４０における二点鎖線で示す揺動角度位置に配置される。
【０１９４】
このように、球抜き機構ＢＭ４では、球抜き口２４の開閉操作を行う操作部４３５が下球皿２３の左側に位置して下球皿構造体２０の上面側に前後方向にスライド操作可能に設けられているため、右手で発射ハンドル１４を回動操作したまま左手で球抜き操作を簡単に行うことができ、かつ下球皿構造体２０と腹部との間隔が密着してしまうような遊技者であっても容易に球抜き操作を行うことができる。
【０１９５】
また、操作部４３５が下球皿構造体２０の上面側に前後方向に揺動操作可能に設けられているため、遊技者が座席から立ち上がったり着座しようとするとき、あるいは隣接するパチンコ機に放置された球箱を取ろうとして横を向いたときなどに、たとえ下球皿構造体２０の前面にぶつかっても操作部４３５が開方向に誤操作されて球抜き口２４が開放されるようなことがなく、遊技球を周囲にまき散らしてしまうような事態が生じない。さらに、球抜き機構の主要構成部が区画壁６４の下部領域を有効に利用して構成されるとともに、操作部４３５が区画壁６４の上面に配設されるため、コンパクトな構成で操作性の良好な球抜き機構を提供することができる。
【０１９６】
従って、以上説明した球抜き機構ＢＭ４によれば、誤操作による遊技球の飛散を有効に防止して、遊技者にとって操作性の良好な球抜き機構を提供することができる。
【０１９７】
なお、以上では操作部４３５を下球皿構造体２０の上面側に突出して配設した構成例を示したが、操作部を下球皿構造体２０の下面側に配設し、あるいは下球皿構造体２０の上下両面に配設して、本構成形態の球抜き機構を構成することもできる。例えば、外装体２２の下面側に上述した操作部ガイド孔（３１３）と同様のガイド孔を設けるとともに、揺動アーム４３６を延長してレバー状の操作部を下球皿構造体２０の下面側に突出させ、あるいは揺動アーム４３６を大きめの扇状に形成して操作部４３５同様の操作部を下球皿構造体２０の下面側に突出させることで、下球皿構造体２０の下面側に操作部を配設することができ、また上述した操作部４３５に加えてこのような下面側の操作部を併設することにより、上下いずれの操作部でも球抜き操作ができる球抜き機構を構成することも可能である。
【０１９８】
（球抜き機構ＢＭ５）
次に、第５構成形態の球抜き機構ＢＭ５について、図４１〜図５１の各図を参照して説明する。ここで、図４５は球抜き機構ＢＭ５の構造を斜め前方から見た分解斜視図、図４６は球抜き機構ＢＭ５の組み付け状態を示す平面図、図４７は球抜き機構ＢＭ５の平面図、図４８は閉鎖状態にある球抜き機構ＢＭ５を正面側から見た部分断面図、図４９は開放状態にある球抜き機構ＢＭ５を正面側から見た断面図、図５０は球抜き機構ＢＭ５を下球皿２３側から見た側断面図、図５１は球抜き機構ＢＭ５を灰皿構造ＡＴ１側から見た側断面図である。
【０１９９】
なお、図４１は球抜き機構ＢＭ５を備えたパチンコ機ＰＭにおけるガラス扉５および上球皿構造体６を開放した状態の正面図（図１に対応する正面図）、図４２は灰皿構造ＡＴ１を左斜め前方から見た斜視図（図２に対応する斜視図）、図４３は灰皿装着状態における灰皿中央部での側断面図（図３に対応する側断面図）、図４４は灰皿脱着時における灰皿中央部での側断面図（図４に対応する側断面図）であるが、パチンコ機ＰＭの本体構成および下球皿構造体２０に設けられる灰皿構造ＡＴ（ＡＴ１，ＡＴ２）の構成については既に詳述した内容と同様であるため、図４１〜図４４の各図における同様部分に同一番号を付して重複説明を省略する。
【０２００】
球抜き機構ＢＭ５は下球皿構造体２０に設けられており、底部に球抜き口２４を有し上方に開口する皿部内に遊技球を貯留する下球皿２３と、球抜き口の背面側に水平変位可能に配設され球抜き口２４を開閉する弁体５２０と、弁体５２０の変位操作を行う操作部材５３０とを備え、操作部材５３０の操作部５３５が下球皿２３の左側における下球皿構造体２０の前面側に、前後方向に延びる回動軸まわりに回動操作可能に設けられ、操作部５３５を回動操作したときに弁体５２０が水平変位して球抜き口２４を開閉するように構成される。
【０２０１】
下球皿構造体２０は、既述した各下球皿構造体と同様に、下球皿構造体２０の基体をなすベース体２１と、下球皿構造体２０の外殻をなす外装体２２とを主体とし、ベース体２１の前方から外装体２２を覆い被せるように装着して、ベース体２１の後面側から外装体２２をネジ固定することで一体のアッセンブリに形成される。
【０２０２】
ベース体２１には、底面が緩く前方および左方に下傾して上面開放の深皿形態をなす下球皿２３が一体に成型され、傾斜下端の左前方部に上下連通する球抜き口２４が開口形成されている。下球皿２３の左上方には、外装体２２に形成された区画壁６４の内側形状と整合して前後方向に係脱自在な区画壁係合部５０１が設けられ、ベース体２１の立設壁面には、操作部材５３０における揺動軸５３１の先端部を支持する軸支ボス５０２が形成されている。
【０２０３】
下球皿２３の下面側では、球抜き口２４の前方に前方転入防止壁５０５ａ、後方に後方転入防止壁５０５ｂ、右側方に右側方転入防止壁５０６が形成されている。これらの転入防止壁５０５ａ，５０５ｂ，５０６は、球抜き口２４の周囲を取り囲むように下向きに突出成型されており、球抜き口２４から流下する遊技球が下球皿２３の底面と外装体２２との間に入り込むことを防止する。前後の転入防止壁５０５ａ，５０５ｂは、弁体５２０におけるシャッター部５２４の前後端面と係合して左右方向へのスライドを案内するスライドガイドとしても機能し、また右側方転入防止壁５０６は、弁体５２０の閉鎖姿勢においてシャッター部右端のスライド範囲規制突起５２８と係合して弁体５２０の閉鎖位置を規定するスライド規制部としても機能する。
【０２０４】
一方、外装体２２は、全体として灰皿構造ＡＴの収容凹部６０（８０）および下球皿２３の開口上面を除くベース体２１の上下および前面を覆う外殻カバー状に形成されている。外装体２２の上面側では、区画壁６４の右側壁の下部に下球皿２３の上縁フランジ面と係合するリブフランジが形成され、その下側に区画壁６４の下部領域と下球皿２３側とを左右に連通する開口部が形成されている。
【０２０５】
外装体２２の底面側には、球抜き口２４と略同一の前後方向開口寸法を有し、組立状態において球抜き口２４の下方に位置する放出口２５が上下に連通して開口形成され、その右側方に上方に突出して前後に延びるリブ状の右側方ガイド壁５１６が形成されている。右側方ガイド壁５１６は、ベース体２１の右側方転入防止壁５０６の右側に位置整合してこの転入防止壁５０６と係脱自在に形成されており、ベース体２１に外装体２２を装着する際に右側方転入防止壁５０６と係合してスライド装着を案内するガイド壁として機能する。放出口２５の左側には、弁体５２０の掛止フック５２７を下面側に挿通させ、本体部５２１を収容凹部６０側に挿通させる弁体挿通孔５１３が開口形成されている。
【０２０６】
外装体２２の前面側には、段付き円筒状の軸受ボス５１２が前方壁面から後方（ベース体２１側）に延びて形成されている。軸受ボス５１２は、外装体２２をベース体２１の前面側に装着したときに、ベース体側の軸支ボス５０２と整合して同一軸上に並ぶ位置に形成されるとともに、軸受ボス５１２の内径は、後方の小径部分が操作部材５３０における揺動軸５３１を嵌合支持し、前端側が操作部５３５を受容するように形成されており、操作部材５３０を前後に延びる揺動軸５３１廻りに回動自在に支持し得るようになっている。
【０２０７】
このため、ベース体２１の前方から外装体２２を覆い被せて係合させると、区画壁６４の下方に、収容凹部６０の右側壁面、下球皿２３の左側壁面、区画壁係合部５０１、および外装体２２の下面に囲まれて弁体収容部５１１が形成され、弁体収容部５１１の前後の壁面に操作部材５３０を支持する軸支ボス５０２、軸受ボス５１２が同一軸上に配設される。
【０２０８】
一方、弁体５２０は、基板となる本体部５２１と、この本体部５２１の上面に突出成型された前後一対の支軸フランジ５２２、本体部５２１から上方にオフセットされて本体部と平行に左右に延びるシャッター部５２４などを主体とし、既述した弁体１２０と同様の樹脂材料を用いて成型される。
【０２０９】
本体部５２１の上面側には、前後一対の軸支フランジ５２２，５２２が上方に突出形成され、その内側に本体部５２１を上下貫通して左右に延びるスリット状のアーム受容溝５２３，５２３が前後に並んで形成されている。前後の軸支フランジ５２２，５２２の内面間隔は、操作部材５３０における前後の揺動アーム５３３ｂ，５３３ｂの外面間隔よりも大きめに設定され、前後の揺動アーム５３３ｂ，５３３ｂの先端部を軸支フランジ５２２，５２２の間に受容可能に形成されている。また軸支フランジの中央部には係合ピン５４２を嵌挿させるピン孔５２２ｈ，５２２ｈが前後に位置整合して形成されており、一方の支軸フランジ側から前後の軸支孔５２２ｈ，５２２ｈを連通させて係合ピン５４２を嵌挿し、他方に突出した係合ピン先端のリング溝にＥリングを嵌着することで係合ピン５４２が前後の支軸フランジ間を結んで取り付けられる。
【０２１０】
一方、前後のアーム受容溝５２３，５２３は、前後の揺動アーム５３３ｂ，５３３ｂの配設位置に合わせ、揺動アーム部の厚さよりも幾分大きめの溝幅を有して形成されており、操作部材５３０が回動操作されたときに上下方向にも変位する揺動アーム５３３ｂ，５３３ｂの先端部を溝内に受容して、操作部材５３０が自由に揺動できるように構成されている。また本体部５２１の下側に位置する弁体挿通孔５１３の前後方向の開口幅は、これら前後のアーム受容溝５３３ｂの外面幅に合わせて形成されている。
【０２１１】
本体部５２１の下面側では、前後のアーム受容溝５２３，５２３の外側に位置して下方に突出し、アーム受容溝と平行に延びるスライドリブ５２１ｒ，５２１ｒが形成されており、弁体５２０を取着したときにレール状のスライドリブ５２１ｒ（および後述するスライド突起５２６ｒ）で弁体５２０を支持し、弁体５２０を左右にスライドさせたときに外装体２２との間で生じる摺動抵抗を低減した構成になっている。
【０２１２】
本体部５２１の下面側左端部には、引っ張りバネ５４７の一端を掛止する掛止フック５２７が下方に突出成型され、受容凹部６０の底面カバー６８にはこの掛止フック５２７の移動範囲に合わせて弁体挿通孔５１３が細長く延びて形成されている。外装体２２の下面側には引っ張りバネ５４７の他端をネジ固定するバネ固定ボス５０７が形成されている。なお、球抜き機構ＢＭ５では、弁体５２０の開閉に伴って本体部５２１が受容凹部６０における支持台座６７と底面カバー６８との間に水平変位する。そこで本構成の灰皿構造では、スペーサリブ６７ｒを支持台座６７の下面中央部に１条設けた構成例を示している。
【０２１３】
シャッター部５２４は、球抜き口２４の下面側の高さ位置に合わせて上方にオフセットされて本体部５２１と平行に右側方に張り出すプレート状に形成され、その前後方向寸法が球抜き口２４および放出口２５の開口寸法よりも大きく、下球皿２３の下面側に形成された前後の転入防止壁５０５ａ，５０５ｂの内面幅よりも幾分小さめに形成されている。シャッター部５２４の左側方の上端角部は、前後の軸支フランジ間の領域が斜めに面取りされており、後述する開放位置で前後の揺動アーム部５３３ｂの右側縁と当接して弁体５２０の開放位置を規定するようになっている。
【０２１４】
シャッター部５２４の右端には下方に延びて左側方転入防止壁５２６が形成され、その下端縁面に円弧状のスライド突起５２６ｒ，５２６ｒが下方に突出形成されている。左側方転入防止壁５２６は、シャッター部５２４を開放したときに球抜き口２４の左側方を塞いで球抜き口２４から流下する遊技球がベース体２１と外装体２２との間に入り込まないように転入を防止し、スライド突起５２６ｒおよび本体側のスライドリブ５２１ｒは、弁体５２０を左右にスライドさせたときに外装体２２との間で生じる摺動抵抗を低減する機能を有している。左側方転入防止壁５２６には、下球皿側の右側方転入防止壁５０６と係合して弁体５２０の閉鎖位置を規定するスライド範囲規制突起５２８が形成されている。
【０２１５】
操作部材５３０は、この操作部材の中心軸をなす揺動軸５３１、揺動アーム部５３３ｂを有する揺動部材５３３、操作部材５３０の操作を行う操作部５３５などからなり、揺動軸５３１の中間部に揺動部材５３３、揺動軸５３１の前端部に操作部５３５がそれぞれネジ固定されて一体の操作部材５３０を構成する。
【０２１６】
揺動軸５３１は、中実丸棒の先端部がテーパ状に形成されてベース体の軸支ボス５０２と嵌脱自在に形成され、中間部および後部の所定位置には固定ネジ５４３および止めネジ５４５の先端部を係止するための平坦面が平取り加工されている（図４９を参照）。揺動軸５３１は、例えば所定線径のみがき鋼棒を所定長さに切断し旋削、鍛圧加工等して形成される。
【０２１７】
揺動部材５３３は、中空円筒状のカラー部５３３ａと、このカラー部５３３ａの前方に所定間隔をおいて張出成型された前後一対の揺動アーム部５３３ｂとからなり、例えば弁体５２０と同様にＡＢＳ樹脂などの熱可塑性樹脂材料を用いて射出成型等の成形手段で一体に成型される。カラー部５３３ａの中心には揺動軸５３１の外径よりもわずかに大きめの内径を有する軸受孔が形成され、前後の揺動アーム部５３３ｂ，５３３ｂの間には固定ネジ５４３を螺合締結して揺動部材５３３を揺動軸５３１に固定するための雌ネジ部が軸直交方向に形成されている。
【０２１８】
前端の揺動アーム部を含むカラー部の長さ（揺動部材５３３の前後方向寸法）は、ベース体２１に外装体２２を装着固定した状態におけるベース体側の軸支ボス５０２の前端面と、外装体側の軸受ボス５１２の後端面との間隔に合わせて形成されており、揺動軸５３１に嵌合支持された揺動部材５３３が、軸支ボス５０２と軸受ボス５１２により上下左右方向（軸芯位置）に位置決めされ、これらのボス５０２，５１２に挟持されたカラー部５３３ａにより前後方向に位置決めされ、固定ネジ５４３を締め込むにより角度方向に位置決めされるようになっている。
【０２１９】
一方、前後の揺動アーム部５３３ｂ，５３３ｂは、カラー部５３３ａから軸直交方の同一方向に張り出されたアーム状に形成されており、その先端部には係合ピン５４２を受容して係合するピン係合溝５３３ｈ，５３３ｈがアームの延びる方向に形成されている。
【０２２０】
各ピン係合溝５３３ｈは、幅寸法が係合ピン５４２の軸径と略同一に形成される一方、長さ寸法は操作部５３５を時計回りおよび反時計回りに揺動させたときに揺動アーム部５３３ｂの先端部が上下方向に変位する変位量よりも大きめに形成されている。このため、弁体５２０の前後の軸支フランジ５２２間を結んで取り付けられた係合ピン５４２に、前後のピン係合溝５３３ｈを係合させて揺動アーム部５３３ｂを揺動させると、ピン係合溝５３３ｈと係合ピン５４２とが左右方向にガタなく嵌合して操作力を弁体５２０に伝達するとともに、揺動アーム部５３３ｂの揺動に伴うアーム先端部の上下方向の変位に対して連結ピン５４２がピン係合溝５３３ｈ内を上下に移動して揺動アーム部の相対変位を許容し、操作部材５３０の揺動角度に応じたストロークで弁体５２０を左右方向にスライドさせる。
【０２２１】
操作部５３５は、外周縁面にローレット目が形成されたノブ部５３５ａと、揺動軸５３１を受容するハブ部５３５ｂとからなる操作つまみであり、例えば市販の円形ノブや多角形ノブなどが用いられる。ノブ部５３５ａの正面には球抜き操作の方向を示す円弧矢印状の操作表示が設けられ、ハブ部５３５ｂには止めネジ５４５を螺合締結して揺動軸５３１に操作部材５３５を固定するための雌ネジ部が軸直交方向に形成されている。
【０２２２】
以上のように構成される弁体５２０および操作部材５３０を外装体２２に組み付け、各部材が組み付けられた外装体２２をベース体２１の前方から覆い被せるように装着することで、球抜き機構ＢＭ５が形成される。組み付けは、まず揺動軸５３１の後端に操作部５３５のハブ部５３５ｂを嵌合させて止めネジ５４５を締め込み、ネジ先端部を平取り面に係合させて操作部５３５を固定する。次いで揺動軸５３１を軸受ボス５１２に嵌入し、外装体２２の後面側に突出した揺動軸５３１に揺動部材５３３のカラー部５３３ａを嵌合させて、操作部材５３５と揺動部材５３３とで軸受ボス５１２を挟持するように係合させ、固定ネジ５４３の先端部を揺動軸中間の平取り面に係合させて締め込んで揺動部材５３０を固定する。これにより、操作部材５３０が外装体２２に組み付けられ、揺動軸５３１の軸廻りに揺動自在に支持される。
【０２２３】
次に、揺動アーム部５３３ｂを右方の球抜き口２５側に揺動させた状態で、球抜き口２５側から弁体５２０を左方にスライドさせ、係合ピン５４２を揺動アーム部のピン係合溝５３３ｈに係合させる。そして、操作部５３５を正面視における（以下同様につき記載を省略する）時計回りに回動操作し、揺動アーム部５３３ｂを時計回りに揺動させて弁体５２０を左方にスライド移動させる。このとき、揺動アーム部５３３ｂの揺動に伴って下動するアーム先端部がアーム受容溝５２３に受容されて弁体５２０が支障なく左方にスライド移動される一方、シャッター部５２４が球抜き口２４を開放する開放位置で揺動アーム部５３３ｂの右側縁がシャッター部５２４の上端角部の面取り部に当接し、弁体５２０の左方へのスライド移動および操作部材５３０の時計回りの揺動が開放位置で規制される。
【０２２４】
このようにシャッター部５２４を左方に待避させた状態で、各部材が組み付けられた外装体２２をベース体２１の前方から覆い被せるように装着しネジ止めする。このときベース体の区画壁係合部５０１が外装体の区画壁６４と係合し、またベース体の右側方転入防止壁５０６が外装体の右側方ガイド壁５１６と係合して外装体２２を左右方向に位置決めし、外装体２２を案内するスライドガイドとして機能する。またこのスライド過程で揺動軸５３１の前端部がベース体側の軸支ボス５０２に嵌合支持され、操作部材５３０が軸支ボス５０２と軸受ボス５１２との間に位置決めされて支持される。
【０２２５】
そして操作部５３５を反時計回りに回動してシャッター部５２４が球抜き口２４を閉じる閉鎖位置に位置させ、外装体下面側のバネ固定ボス５０７に引っ張りバネ５４７の一端をねじ止めし、引っ張りバネ５４７の他端側を掛止フック５２７に掛止して張り渡すことにより、球抜き機構ＢＭ５が組み付けられ、球抜き機構を備えた下球皿構造体２０が形成される。なお図４９および図５１に二点鎖線で付記するように、外装体２２の下面側に引っ張りバネ５４７を覆うバネケース５４８を設けることで、部材の損傷や誤作動を効果的に防止することができる。
【０２２６】
こうして球抜き機構ＢＭ５が組み付けられると、弁体５２０は区画壁６４の下側の弁体収容部５１１に左右方向に水平変位可能に収容支持され、常には引っ張りバネ５４７により右方に付勢されてシャッター部右端のスライド範囲規制突起５２８が右側方転入防止壁５０６に当接して移動規制され、シャッター部５２４が球抜き口２４の背面側で開口を閉鎖する閉鎖位置に保持される（図４８および図５０を参照）。従って、下球皿払出通路から払出バケット１８および下通出口１７を介して下球皿２３に払い出された遊技球が閉鎖位置にある弁体５２０により流下規制され下球皿２３に貯留される。
【０２２７】
球抜き作業を行うには、操作部５３５を摘んで時計回りに回動操作し、引っ張りバネ５４７の付勢力に抗して操作部材５３０を揺動させる。すると外装体内部の弁体収容部５１１で揺動アーム５３３ｂが時計回りに揺動され、アーム先端部のピン係合溝５３３ｈに係合する係合ピン５４２を介して弁体５２０が左方に押圧されて、弁体５２０が操作部５３５の揺動角度に応じたストロークで左方にスライド移動する。このとき、シャッター部５２４の前後の端面が下球皿２３の前後の転入防止壁５０５ａ，５０５ｂにガイドされ、弁体下面側のスライドリブ５２１ｒおよびスライド突起５２６ｒに支持された弁体５２０が滑るように左方にスライド移動して球抜き口２４が開かれる。
【０２２８】
そして、揺動アーム部５３３ｂの右側縁がシャッター部５２４の上端角部の面取り部に当接し、弁体５２０の左方へのスライド移動および操作部材５３０の時計回りの揺動が規制される角度位置まで揺動部材５３０が揺動されると、シャッター部５２４が球抜き口２４の背面側で開口全体を開放する開放位置に配設され（図４７および４９を参照）、下球皿２３に貯留された遊技球が球抜き口２４および放出口２５を通って下方に準備された球箱ＢＢに流下する。
【０２２９】
球抜き口２４の下側では、球抜き口２４の前方に前方転入防止壁５０５ａ、球抜き口２４の後方に後方転入防止壁５０５ｂ、球抜き口２４の右側方に右側方転入防止壁５０６、シャッター部５２４の右端に左側方転入防止壁５２６が配設されている。このため、弁体５２０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【０２３０】
球抜き作業を終了するときには、操作部５３５を開放位置に保持させる保持力を弱めればよい。保持力が弱められると、引っ張りバネ５４７に蓄積された弾性力によって引っ張りバネ５４７が縮小方向に自己復帰し、弁体５２０が弁体収容部５１１内を右方にスライド移動してシャッター部５２４が球抜き口２４を閉じる。これに伴って右動する係合ピン５４２により揺動アーム部５３３ｂが反時計回りに揺動され、操作部５３５が弁体５２０の移動量に応じた揺動角度で反時計回りに揺動される。
【０２３１】
そしてシャッター部右端のスライド範囲規制突起５２８が右側方転入防止壁５０６に当接すると弁体５２０の右方への移動が規制され、所定の付勢力を保持した状態でシャッター部５２４が球抜き口２４の背面側で開口を閉鎖する閉鎖位置に保持され、操作部５３５が球抜き操作以前の揺動角度位置に配置される。（図４８および図５０を参照）。
【０２３２】
このように、球抜き機構ＢＭ５では、球抜き口２４の開閉操作を行う操作部５３５が下球皿２３の左側に位置して回動操作可能に設けられているため、右手で発射ハンドル１４を回動操作したまま左手で球抜き操作を簡単に行うことができる。
【０２３３】
また、操作部５３５が下球皿構造体２０の前面側に設けられるものの、下球皿２３の左側に位置し、かつ前後方向に延びる回動軸まわりに回動操作可能に設けられているため、遊技者が座席から立ち上がったり着座しようとするとき、あるいは隣接するパチンコ機に放置された球箱を取ろうとして横を向いたときなどに、下球皿構造体２０で最も前方に突出する前面中央部にぶつかったとしても、左側に配設された操作部５３５に当接する確率が低いうえ、当接により操作部５３５が回動される確率はさらに低く、遊技球を周囲にまき散らしてしまうような事態を大幅に抑制することができる。さらに、球抜き機構の主要構成部が区画壁６４の下部領域を有効に利用して構成されるとともに、操作部５３５が区画壁６４の前方の構造体前面側に配設されるため、コンパクトな構成で操作性の良好な球抜き機構を提供することができる。また、操作部５３５が球皿構造体２０の前面側に設けられ、かつ操作部５３５が軸受ボス５１２の前方を覆って配設されるため、タバコの灰やごみ等の侵入を効果的に防止し得る構成になっている。
【０２３４】
従って、以上説明した球抜き機構ＢＭ５によれば、誤操作による遊技球の飛散を有効に防止して、遊技者にとって操作性の良好な球抜き機構を提供することができる。
【０２３５】
なお、以上では操作部材を操作する操作部として、外周縁面にローレット目が形成された円筒形の操作部５３５を例示したが、図５２に操作部の他の構成例を背面図で例示するように、多角形形態の操作部を用いることや、操作部５３５および揺動部材５３３を固定するネジ（５４３，５４５）にトガリ先の止めネジ５４９を用い、揺動軸５３１にサラモミ穴を形成してこれらの部材を固定するように構成することもできる。
【０２３６】
また、図５２(ａ)に示す操作部５３５′のようにノブ部５３５ａの外周縁面に突起部５３５ｔを設けるとともに、この突起部５３５ｔを挟む円筒面を前後に切り離してラジアル方向に弾性変形可能に形成する一方、軸受ボス５１２′の内周面には弁体５２０が開放位置にあるときに突起部５３５ｔと係合する係合凹部５１２ｔを形成し、操作部５３５が弁体５２０の開放位置まで回動されたときに突起部５３５ｔと係合凹部５１２ｔとが係合して操作部５３５を当該揺動角度位置に係止し、弁体５２０を開放位置に保持させる開放保持構造を付設することも好ましい構成形態である。さらに、図５２(ｂ)に示すように操作部５３５′の正面側に操作部の角度位置を示す指標部５３５ｓを設け、操作部材５３０がどのような揺動角度位置にあるのかを外装体２２の正面から一目で把握可能に構成することも好ましい構成形態である。そして、図５２(ａ)(ｂ)に示したような開放保持構造を備えた球抜き機構によれば、上記した効果に加えて、さらに球抜き作業の操作性を向上させた球抜き機構を提供することができる。
【０２３７】
（球抜き機構ＢＭ６）
次に、第６構成形態の球抜き機構ＢＭ６について、図５３〜図６４の各図を参照して説明する。ここで、図５７は球抜き機構ＢＭ６の構造を斜め前方から見た分解斜視図、図５８は球抜き機構ＢＭ６の組み付け状態を示す平面図、図５９は球抜き機構ＢＭ６の平面図、図６０は閉鎖状態にある球抜き機構ＢＭ６を正面側から見た部分断面図、図６１は開放状態にある球抜き機構ＢＭ６を正面側から見た断面図、図６２は球抜き機構ＢＭ６を下球皿２３側から見た側断面図、図６３は球抜き機構ＢＭ６を灰皿構造ＡＴ１側から見た側断面図、図６４(ａ)(ｂ)はそれぞれ図６０中に付記する６４ａ、６４ｂ矢視の平断面図である。
【０２３８】
なお、図５３は球抜き機構ＢＭ６を備えたパチンコ機ＰＭにおけるガラス扉５および上球皿＋構造体６を開放した状態の正面図（図１に対応する正面図）、図５４は灰皿構造ＡＴ１を左斜め前方から見た斜視図（図２に対応する斜視図）、図５５は灰皿装着状態における灰皿中央部での側断面図（図３に対応する側断面図）、図５６は灰皿脱着時における灰皿中央部での側断面図（図４に対応する側断面図）であるが、パチンコ機ＰＭの本体構成および下球皿構造体２０に設けられる灰皿構造ＡＴ（ＡＴ１，ＡＴ２）の構成については既に詳述した内容と同様であるため、図５３〜図５６の各図における同様部分に同一番号を付して重複説明を省略する。
【０２３９】
球抜き機構ＢＭ６は下球皿構造体２０に設けられており、底部に球抜き口２４を有し上方に開口する皿部内に遊技球を貯留する下球皿２３と、球抜き口の背面側に水平変位可能に配設され球抜き口２４を開閉する弁体６２０と、弁体６２０の変位操作を行う操作部材６３０とを備え、操作部材６３０の操作部６３５が下球皿２３の左側における下球皿構造体２０の上面側に、上下方向に延びる回動軸まわりに回動操作可能に設けられ、操作部６３５を回動操作したときに弁体６２０が水平変位して球抜き口２４を開閉するように構成される。
【０２４０】
下球皿構造体２０は、既述した各下球皿構造体と同様に、下球皿構造体２０の基体をなすベース体２１と、下球皿構造体２０の外殻をなす外装体２２とを主体とし、ベース体２１の前方から外装体２２を覆い被せるように装着して、ベース体２１の後面側から外装体２２をネジ固定することで一体のアッセンブリに形成される。
【０２４１】
ベース体２１には、底面が緩く前方および左方に下傾して上面開放の深皿形態をなす下球皿２３が一体に成型され、傾斜下端の左前方部に上下連通する球抜き口２４が開口形成されている。下球皿２３の左上方には、外装体２２に形成された区画壁６４の内側形状と整合して前後方向に係脱自在な区画壁係合部６０１が設けられている。
【０２４２】
下球皿２３の下面側では、球抜き口２４の前方に前方転入防止壁６０５ａ、後方に後方転入防止壁６０５ｂ、右側方に右側方転入防止壁６０６が形成されている。これらの転入防止壁６０５ａ，６０５ｂ，６０６は、球抜き口２４の周囲を取り囲むように下向きに突出成型されており、球抜き口２４から流下する遊技球が下球皿２３の底面と外装体２２との間に入り込むことを防止する。前後の転入防止壁６０５ａ，６０５ｂは、弁体６２０におけるシャッター部６２４の前後端面と係合して左右方向へのスライドを案内するスライドガイドとしても機能し、また右側方転入防止壁６０６は、弁体６２０の閉鎖姿勢においてシャッター部右端の左側方転入防止壁６２６と係合して弁体６２０の閉鎖位置を規定するスライド規制部としても機能する。
【０２４３】
一方、外装体２２は、全体として灰皿構造ＡＴの収容凹部６０（８０）および下球皿２３の開口上面を除くベース体２１の上下および前面を覆う外殻カバー状に形成されている。外装体２２の上面側では、区画壁６４の右側壁の下部に下球皿２３の上縁フランジ面と係合するリブフランジが形成され、その下側に区画壁６４の下部領域と下球皿２３側とを左右に連通する開口部が形成されている。
【０２４４】
外装体２２の底面側には、球抜き口２４と略同一の前後方向開口寸法を有し、組立状態において球抜き口２４の下方に位置する放出口２５が上下に連通して開口形成され、その右側方に上方に突出して前後に延びるリブ状の右側方ガイド壁６１６が形成されている。右側方ガイド壁６１６は、ベース体２１の右側方転入防止壁６０６の右側に位置整合してこの転入防止壁６０６と係脱自在に形成されており、ベース体２１に外装体２２を装着する際に右側方転入防止壁６０６と係合してスライド装着を案内するガイド壁として機能する。放出口２５の左側には、弁体６２０における弁体側掛止フック６２７を下面側に挿通させ、本体部６２１を収容凹部６０側に挿通させる弁体挿通孔６１３が開口形成されている。
【０２４５】
外装体２２の前方部では、区画壁６４が比較的短めに形成されて下球皿前方の上面と同一高さの平坦面が形成され、この上面に操作部６３５のハブ部６３５ｂを挿通させるハブ挿通孔６１２ａ、外装体２２の下面に操作部材６３０における揺動軸６３１の下端部を枢支する軸受孔６１２ｂ、これらの中間に操作部材６３５と揺動部材６３３との間で揺動軸６３１の外周面を支持する支持フランジ６１２ｃが同軸上に形成されており、操作部材６３０の抜け落ちを防止しつつ揺動軸６３１廻りに回動自在に支持し得るようになっている。
【０２４６】
一方、弁体６２０は、基板となる本体部６２１と、この本体部６２１の上面に突出成型されたリンクボス６２２、本体部６２１から上方にオフセットされて本体部と平行に左右に延びるシャッター部６２４などを主体とし、既述した弁体１２０と同様の樹脂材料を用いて成型される。
【０２４７】
本体部６２１の上面に突出成型されたリンクボス６２２は、円筒突起状に形成されて軸心にネジ６４２を受容するネジ受容孔が上下貫通して形成されており、平座金を介してネジ６４２を螺着することで、後述するボス係合溝６３３ｈとの係合が安易に外れないようになっている。
【０２４８】
本体部６２１の下面側では、本体部６２１の前後端部に下方に突出して左右に延びるレール状のスライドリブ６２１ｒ，６２１ｒが形成されており、弁体６２０を取着したときに前後のスライドリブ６２１ｒで弁体６２０を支持し、弁体６２０を左右にスライドさせたときに外装体２２との間で生じる摺動抵抗を低減した構成になっている。
【０２４９】
また本体部６２１の下面側左端部には、引っ張りバネ６４７の一端を掛止する弁体側掛止フック６２７が下方に突出成型される一方、外装体２２の下面側には引っ張りバネ６４７の外周を覆うバネケース６４８をネジ固定するためのケース固定ボス６０８が形成され、バネケース６４８の右側面には引っ張りバネ６４７の他端を掛止するケース側掛止フック６０７が形成されている。なお、球抜き機構ＢＭ６では、弁体６２０の開閉に伴って本体部６２１が受容凹部６０における支持台座６７と一部重複する高さ位置で水平変位する。そこで本構成の灰皿構造では、支持台座６７をこの移動軌跡に合わせて一部切り欠いて形成するとともに、スペーサリブ６７ｒを支持台座６７の下面中央部に１条設けた構成例を示している。
【０２５０】
シャッター部６２４は、球抜き口２４の下面側の高さ位置に合わせて上方にオフセットされて本体部６２１と平行に右側方に張り出すプレート状に形成され、その前後方向寸法が球抜き口２４および放出口２５の開口寸法よりも大きく、下球皿２３の下面側に形成された前後の転入防止壁６０５ａ，６０５ｂの内面幅よりも幾分小さめに形成されている。
【０２５１】
シャッター部６２４の右端には下方に延びて左側方転入防止壁６２６が形成されている。左側方転入防止壁６２６は、シャッター部６２４が開放されたときに球抜き口２４の左側方を塞いで球抜き口２４から流下する遊技球がベース体２１と外装体２２との間に入り込まないように転入を防止するとともに、シャッター部６２４が閉鎖されたときに下球皿の右側方転入防止壁６０６と係合して弁体６２０の閉鎖位置を規定する機能を持っている。      
【０２５２】
本体部６２１とシャッター部６２４との間を繋ぐ立設面の前方部分には、揺動アーム６３３ｂの揺動軌跡に合わせてスリット状のアーム受容溝６２３が切り欠き形成されており、操作部材６３０を揺動させて弁体６２０を開放位置に位置させたときに、揺動アーム部６３３ｂを溝内に受容して立設面と揺動アーム部６３３ｂとが干渉しないようになっている。シャッター部６２４の下面側には、下方に突出して立設面と左側方転入防止壁６２６との間を結ぶセンターリブ６２４ｒが形成されており、遊技球の荷重によるシャッター部６２４の撓みを抑制した構成になっている。
【０２５３】
操作部材６３０は、この操作部材の中心軸をなす揺動軸６３１、揺動アーム部６３３ｂを有する揺動部材６３３、操作部材６３０の操作を行う操作部６３５などからなり、揺動軸６３１の上端部に操作部６３５、揺動軸６３１の下部に揺動部材６３３がそれぞれネジ固定されて一体の操作部材６３０を構成する。
【０２５４】
揺動軸６３１は、中実丸棒のシャフトであり、その先端部がベース体の軸受孔６１２ｂと嵌脱自在に形成され、上部および中間部の所定位置にはそれぞれ操作部６３５を固定する止めネジ６４５および揺動部材６３３を固定する止めネジ６４３の各トガリ先部分を受容して係止するためサラモミ穴が加工されている（図６４(ａ)(ｂ)を参照）。揺動軸６３１は、例えば所定線径のみがき鋼棒を所定長さに切断し旋削、穿孔加工等して形成される。
【０２５５】
揺動部材６３３は、中空円筒状のカラー部６３３ａと、このカラー部６３３ａの下端に設けられた揺動アーム部６３３ｂとからなり、例えば弁体６２０と同様の樹脂材料を用いて射出成型等の成形手段により一体成型され、あるいは金属製のカラー部とアーム部とをカシメ圧着や溶着等して一体に形成される。カラー部６３３ａの中心には揺動軸６３１の外径よりもわずかに大きめの内径を有する軸受孔が形成され、揺動軸６３１と整合する所定位置には止めネジ６４３を螺合締結して揺動部材６３３を揺動軸６３１に固定するための雌ネジ部が軸直交方向に形成されている（図６４ (ｂ)を参照）。
【０２５６】
下端の揺動アーム部を含むカラー部の長さ（揺動部材６３３の上下方向寸法）は、揺動部材６３３におけるカラー部６３３ａの上端面を支持フランジ６１２ｃの下面に当接させたときに、揺動アーム部６３３ｂの下面が弁体６２０の本体部６２１の上面と略同一高さになるように設定されており、揺動軸６３１に嵌合支持された揺動部材６３３が、ハブ挿通孔６１２ａと軸受孔６１２ｂにより前後左右方向（軸芯位置）に位置決めされ、止めネジ６４３を締め込んでサラモミ穴に係止することで上下方向および角度方向に位置決めされるようになっている。
【０２５７】
一方、揺動アーム部６３３ｂは、カラー部６３３ａから軸直交方向に張り出されてアーム状に形成されており、その先端部にはリンクボス６２２を受容して係合するボス係合溝６３３ｈがアームの延びる方向に形成されている。
【０２５８】
ボス係合溝６３３ｈは、その幅寸法がリンクボス６２２の軸外径と略同一に形成される一方、長さ寸法は操作部６３５を時計回りおよび反時計回りに揺動させたときに揺動アーム部６３３ｂの先端部が前後方向に変位する変位量よりも大きめに形成されている。このため、弁体のリンクボス６２２にボス係合溝６３３ｈを係合させて揺動アーム部６３３ｂを揺動させると、ボス係合溝６３３ｈとリンクボス６２２とが左右方向にガタなく嵌合して操作力を弁体６２０に伝達するとともに、揺動アーム部６３３ｂの揺動に伴うアーム先端部の前後方向の変位に対してリンクボス６２２がボス係合溝６３３ｈ内を前後に移動して揺動アーム部の相対変位を許容し、操作部材６３０の揺動角度に応じたストロークで弁体６２０を左右方向にスライドさせる。
【０２５９】
操作部６３５は、円形ノブの上面に平板状のつまみ部が立設されたノブ部６３５ａと、揺動軸６３１を受容するハブ部６３５ｂとからなる操作つまみであり、例えば市販のつまみノブや多角形ノブ、ウィングノブなどが用いられる。ハブ部６３５ｂには止めネジ６４５を螺合締結して揺動軸６３１に操作部材６３５を固定するための雌ネジ部が軸直交方向に形成されている（図６４(ａ)を参照）。
【０２６０】
以上のように構成される弁体６２０および操作部材６３０を外装体２２に組み付け、各部材が組み付けられた外装体２２をベース体２１の前方から覆い被せるように装着することで、球抜き機構ＢＭ６が形成される。組み付けは、まず揺動軸６３１の上端に操作部６３５のハブ部６３５ｂを嵌合させて止めネジ６４５を締め込み、ネジ先端のトガリ先をサラモミ穴係合させて操作部６３５を固定する。次いで揺動部材６３３を支持フランジ６１２ｃと軸受孔６１２ｂとの間に配設し、ハブ挿通孔６１２ａの上方から揺動軸６３１を挿入して揺動部材６３３を貫通させて軸受孔６１２ｂに枢支させる。そして操作部のハブ部６３５ｂと揺動部材のカラー部６３３ａとで支持フランジ６１２ｃを挟持させ、カラー部の側方から止めネジ６４３を締め込んで先端のトガリ先を揺動軸のサラモミ穴に係止して揺動部材６３０を固定する。これにより、操作部６３５を上方に引き上げても抜けることなく操作部材６３０が外装体２２に組み付けられ、揺動軸６３１の軸廻りに揺動自在に支持される。
【０２６１】
次に、揺動アーム部６３３ｂを右方の球抜き口２５側に揺動させた状態で、球抜き口２５側から弁体６２０を左方にスライドさせ、リンクボス６２２を揺動アーム部のボス係合溝６３３ｈに係合させる。そして、操作部６３５を平面視における（以下同様につき記載を省略する）反時計回りに回動操作し、揺動アーム部６３３ｂを反時計回りに揺動させて弁体６２０を左方にスライド移動させる。このとき、揺動アーム部６３３ｂの揺動に伴って左方に移動するアーム受容溝６２３にアーム中間部が受容され弁体６２０が支障なく左方にスライド移動される。そしてシャッター部６２４が球抜き口２４を開放する開放位置に到達すると、本体部６２１の左端面が支持台座６７の右端面に当接して左方へのスライド移動が規制され、弁体６２０が開放位置に配設される。
【０２６２】
このようにシャッター部６２４を左方に待避させた状態で、各部材が組み付けられた外装体２２をベース体２１の前方から覆い被せるように装着しネジ止めする。このときベース体の区画壁係合部６０１が外装体の区画壁６４と係合し、またベース体の右側方転入防止壁６０６が外装体の右側方ガイド壁６１６と係合して外装体２２を左右方向に位置決めし、外装体２２を案内するスライドガイドとして機能する。区画壁６４の下方には、収容凹部６０の右側壁面、下球皿２３の左側壁面、区画壁係合部６０１、および外装体２２の下面に囲まれて弁体収容部６１１が形成される。
【０２６３】
そして操作部６３５を時計回りに回動してシャッター部６２４が球抜き口２４を閉じる閉鎖位置に位置させ、外装体２２の下面側に突出する弁体側掛止フック６２７に引っ張りバネ６４７の一端を掛止し、引っ張りバネ６４７の他端をバネケース６４８のケース側係止フック６０７に掛止して、バネケース６４８を外装体下面のケース固定ボス６０８にネジ固定することにより、球抜き機構ＢＭ６が組み付けられ、球抜き機構を備えた下球皿構造体２０が形成される。
【０２６４】
こうして球抜き機構ＢＭ６が組み付けられると、弁体６２０は区画壁６４の下側の弁体収容部６１１に左右方向に水平変位可能に収容支持され、常には引っ張りバネ６４７により右方に付勢されてシャッター部右端の左側方転入防止壁６２６が右側方転入防止壁６０６に当接して移動規制され、シャッター部６２４が球抜き口２４の背面側で開口全体を閉鎖する閉鎖位置に保持される（図６０および図６２を参照）。従って、下球皿払出通路から払出バケット１８および下通出口１７を介して下球皿２３に払い出された遊技球が閉鎖位置にある弁体６２０により流下規制され下球皿２３に貯留される。
【０２６５】
球抜き作業を行うには、操作部６３５を摘んで反時計回りに回動操作し、引っ張りバネ６４７の付勢力に抗して操作部材６３０を揺動させる。すると外装体内部の弁体収容部６１１で揺動アーム６３３ｂが反時計回りに揺動され、アーム先端部のボス係合溝６３３ｈに係合するリンクボス６２２を介して弁体６２０が左方に押圧されて、弁体６２０が操作部６３５の揺動角度に応じたストロークで左方にスライド移動する。このとき、シャッター部６２４の前後の端面が下球皿２３の前後の転入防止壁６０５ａ，６０５ｂにガイドされ、本体部下面のスライドリブ６２１ｒに支持された弁体６２０が滑るように左方にスライド移動して球抜き口２４が開かれる。
【０２６６】
そして、本体部６２１の左端面が支持台座６７の右端面に当接し、弁体６２０の左方へのスライド移動および操作部材６３０の反時計回りの揺動が規制される角度位置まで揺動部材６３０が揺動されると、シャッター部６２４が球抜き口２４の背面側で開口全体を開放する開放位置に配設され（図５９および４９を参照）、下球皿２３に貯留された遊技球が球抜き口２４および放出口２５を通って下方に準備された球箱ＢＢに流下する。
【０２６７】
球抜き口２４の下側では、球抜き口２４の前方に前方転入防止壁６０５ａ、球抜き口２４の後方に後方転入防止壁６０５ｂ、球抜き口２４の右側方に右側方転入防止壁６０６、シャッター部６２４の右端に左側方転入防止壁６２６が配設されている。このため、弁体６２０を開いたときに、球抜き口２４の下部周辺がこれらの転入防止壁に囲まれてダクト状の排出路を形成し、球抜き口２４から放出口２５に流下する遊技球がベース体２１と外装体２２との間に入り込むようなことがない。
【０２６８】
球抜き作業を終了するときには、操作部６３５を開放位置に保持させる保持力を弱めればよい。保持力が弱められると、引っ張りバネ６４７に蓄積された弾性力によって引っ張りバネ６４７が縮小方向に自己復帰し、弁体６２０が弁体収容部６１１内を右方にスライド移動してシャッター部６２４が球抜き口２４を閉じる。これに伴って右動するリンクボス６４６により揺動アーム部６３３ｂが時計回りに揺動され、操作部６３５が弁体６２０の移動量に応じた揺動角度で時計回りに揺動される。
【０２６９】
そしてシャッター部右端の左側方転入防止壁６２６が右側方転入防止壁６０６に当接すると弁体６２０の右方への移動が規制され、所定の付勢力を保持した状態でシャッター部６２４が球抜き口２４の背面側で開口全体を閉鎖する閉鎖位置に保持され、操作部６３５が球抜き操作以前の揺動角度位置に配置される。（図６０および図６２を参照）。
【０２７０】
このように、球抜き機構ＢＭ６では、球抜き口２４の開閉操作を行う操作部６３５が下球皿２３の左側に位置して下球皿構造体２０の上面側に回動操作可能に設けられているため、右手で発射ハンドル１４を回動操作したまま左手で球抜き操作を簡単に行うことができ、かつ下球皿構造体２０と腹部との間隔が密着してしまうような遊技者であっても容易に球抜き操作を行うことができる。
【０２７１】
また、操作部６３５が下球皿構造体２０の上面側に回動操作可能に設けられているため、遊技者が座席から立ち上がったり着座しようとするとき、あるいは隣接するパチンコ機に放置された球箱を取ろうとして横を向いたときなどに、たとえ下球皿構造体２０の前面にぶつかっても操作部が開方向に誤操作されて球抜き口が開放されるようなことがなく、遊技球を周囲にまき散らしてしまうような事態が生じない。さらに、球抜き機構の主要構成部が区画壁６４の下部領域を有効に利用して構成されるとともに、操作部６３５が球皿構造体上面の区画壁６４の前方に配設されるため、コンパクトな構成で操作性の良好な球抜き機構を提供することができる。また、操作部６３５がハブ挿通孔６１２ａを覆って配設されるため、タバコの灰やごみ等の侵入を効果的に防止し得る構成になっている。
【０２７２】
従って、以上説明した球抜き機構ＢＭ６によれば、誤操作による遊技球の飛散を有効に防止して、遊技者にとって操作性の良好な球抜き機構を提供することができる。
【０２７３】
なお、以上では操作部６３５を下球皿構造体２０の上面側に配設した構成例を示したが、操作部６３５を下球皿構造体２０の下面側に配設し、あるいは下球皿構造体２０の上下両面に配設して、本構成形態の球抜き機構を構成することもできる。例えば、操作部材６３０の配置を上下逆に構成して外装体２２の下面側に操作部６３５を配設し、あるいは上面側の操作部６３５に加えて揺動軸６３１の下端部にも操作部を取り付けることにより、上下いずれの操作部でも球抜き操作ができる球抜き機構を構成することも可能である。
【図面の簡単な説明】
【０２７４】
【図１】第１構成形態第１構成例の球抜き機構ＢＭ１ａを備えた遊技機の一例として示す、ガラス扉および上球皿構造体を開放した状態におけるパチンコ機の正面図である。
【図２】上記パチンコ機における第１構成形態の灰皿構造ＡＴ１を左斜め前方から見た斜視図である。
【図３】灰皿装着状態における上記灰皿構造ＡＴ１の灰皿中央部での側断面図である。
【図４】灰皿着脱時における上記灰皿構造ＡＴ１の灰皿中央部での側断面図である。
【図５】灰皿装着状態における第２構成形態の灰皿構造ＡＴ２の灰皿中央部での側断面図である。
【図６】灰皿着脱時における上記灰皿構造ＡＴ２の灰皿中央部での側断面図である。
【図７】第１構成形態第１構成例の球抜き機構ＢＭ１ａの構成各部を斜め後方から見た分解斜視図である。
【図８】上記球抜き機構ＢＭ１ａにおける弁体を主として示す斜め前方から見た斜視図である。
【図９】上記球抜き機構ＢＭ１ａを正面側から見た断面図である。
【図１０】上記球抜き機構ＢＭ１ａを背面側から見た断面図である。
【図１１】上記球抜き機構ＢＭ１ａの平面図である。
【図１２】上記球抜き機構ＢＭ１ａを下球皿側から見た側断面図である。
【図１３】上記球抜き機構ＢＭ１により球抜き口を開放した状態の側断面図である。
【図１４】第１構成形態第２構成例の球抜き機構ＢＭ１ｂの構造を斜め前方から見た斜視図である。
【図１５】上記球抜き機構ＢＭ１ｂを正面側から見た断面図である。
【図１６】上記球抜き機構ＢＭ１ｂの平面図である。
【図１７】第２構成形態の球抜き機構ＢＭ２を備えた遊技機の一例として示す、ガラス扉および上球皿構造体を開放した状態におけるパチンコ機の正面図である。
【図１８】上記パチンコ機における灰皿構造ＡＴ１を左斜め前方から見た斜視図である。
【図１９】灰皿装着状態における上記灰皿構造ＡＴ１の灰皿中央部での側断面図である。
【図２０】灰皿着脱時における上記灰皿構造ＡＴ１の灰皿中央部での側断面図である。
【図２１】上記球抜き機構ＢＭ２の構造を斜め前方から見た斜視図である。
【図２２】上記球抜き機構ＢＭ２における弁体を主として示す斜め後方から見た斜視図である。
【図２３】上記球抜き機構ＢＭ２の組み付け状態を示す平面図である。
【図２４】上記球抜き機構ＢＭ２の平面図である。
【図２５】上記球抜き機構ＢＭ２を下球皿側から見た側断面図である。
【図２６】上記球抜き機構ＢＭ２を正面側から見た断面図である。
【図２７】上記球抜き機構ＢＭ２により球抜き口を開放した状態の側断面図である。
【図２８】第３構成形態の球抜き機構ＢＭ３を備えた遊技機の一例として示す、ガラス扉および上球皿構造体を開放した状態におけるパチンコ機の正面図である。
【図２９】上記パチンコ機における灰皿構造ＡＴ１を左斜め前方から見た斜視図である。
【図３０】灰皿装着状態における上記灰皿構造ＡＴ１の灰皿中央部での側断面図である。
【図３１】灰皿着脱時における上記灰皿構造ＡＴ１の灰皿中央部での側断面図である。
【図３２】上記球抜き機構ＢＭ３の構造を斜め前方から見た分解斜視図である。
【図３３】上記球抜き機構ＢＭ３における弁体を主として示す斜め後方から見た斜視図である。
【図３４】上記球抜き機構ＢＭ３を正面側から見た部分断面図である。
【図３５】上記球抜き機構ＢＭ３における操作部材の支持形態を主として示す断面図である。
【図３６】上記球抜き機構ＢＭ３の平面図である。
【図３７】上記球抜き機構ＢＭ３を下球皿側から見た側断面図である。
【図３８】上記球抜き機構ＢＭ３により球抜き口を開放した状態の側断面図である。
【図３９】第４構成形態の球抜き機構ＢＭ４を正面側から見た断面図（図３５に対応する断面図）である。
【図４０】上記球抜き機構ＢＭ４を下球皿側から見た側断面図（図３８に対応する断面図）である。
【図４１】第５構成形態の球抜き機構ＢＭ５を備えた遊技機の一例として示す、ガラス扉および上球皿構造体を開放した状態におけるパチンコ機の正面図である。
【図４２】上記パチンコ機における灰皿構造ＡＴ１を左斜め前方から見た斜視図である。
【図４３】灰皿装着状態における上記灰皿構造ＡＴ１の灰皿中央部での側断面図である。
【図４４】灰皿着脱時における上記灰皿構造ＡＴ１の灰皿中央部での側断面図である。
【図４５】上記球抜き機構ＢＭ５の構造を斜め前方から見た分解斜視図である。
【図４６】上記球抜き機構ＢＭ５の組み付け状態を示す平面図である。
【図４７】上記球抜き機構ＢＭ５の平面図である。
【図４８】閉鎖状態にある上記球抜き機構ＢＭ５を正面側から見た部分断面図である。
【図４９】開放状態にある上記球抜き機構ＢＭ５を正面側から見た断面図である。
【図５０】上記球抜き機構ＢＭ５を下球皿側から見た側断面図である。
【図５１】上記球抜き機構ＢＭ５を灰皿構造側から見た側断面図である。
【図５２】上記球抜き機構ＢＭ５における操作部の他の構成例を示す背面図である。
【図５３】第６構成形態の球抜き機構ＢＭ６を備えた遊技機の一例として示す、ガラス扉および上球皿構造体を開放した状態におけるパチンコ機の正面図である。
【図５４】上記パチンコ機における灰皿構造ＡＴ１を左斜め前方から見た斜視図である。
【図５５】灰皿装着状態における上記灰皿構造ＡＴ１の灰皿中央部での側断面図である。
【図５６】灰皿着脱時における上記灰皿構造ＡＴ１の灰皿中央部での側断面図である。
【図５７】上記球抜き機構ＢＭ６の構造を斜め前方から見た分解斜視図である。
【図５８】上記球抜き機構ＢＭ６の組み付け状態を示す平面図である。
【図５９】上記球抜き機構ＢＭ６の平面図である。
【図６０】閉鎖状態にある上記球抜き機構ＢＭ６を正面側から見た部分断面図である。
【図６１】開放状態にある上記球抜き機構ＢＭ６を正面側から見た断面図である。
【図６２】上記球抜き機構ＢＭ６を下球皿側から見た側断面図である。
【図６３】上記球抜き機構ＢＭ６を灰皿構造側から見た側断面図である。
【図６４】(ａ)は図６０中に付記する６４ａ矢視の平断面図、(ｂ)は図６０中に付記する６４ｂ矢視の平断面図である。
【符号の説明】
【０２７５】
ＰＭ  パチンコ機
ＢＢ  球箱
ＡＴ１  灰皿構造（第１構成形態）
ＡＴ２  灰皿構造（第２構成形態）
ＢＭ１  球抜き機構（第１構成形態、ＢＭ１ａ  第１構成例，ＢＭ１ｂ  第２構成例）
ＢＭ２  球抜き機構（第２構成形態）
ＢＭ３  球抜き機構（第３構成形態）
ＢＭ４  球抜き機構（第４構成形態）
ＢＭ５  球抜き機構（第５構成形態）
ＢＭ６  球抜き機構（第６構成形態）
１  外枠
２  前枠
４  施錠装置
５  ガラス扉
６  上球皿構造体
７  遊技盤
１０  遊技補助盤
１１  遊技球発射装置
１２  ファール球回収構造
１３  スピーカ
１４  発射ハンドル
１６  上通出口
１７  下通出口
１８  払出バケット
２０  下球皿構造体
２１  ベース体
２２  外装体
２３  下球皿
２４  球抜き口
２５  放出口
５０  灰皿
５１  もみ消し部（５１ａ  突起部）
５２  吸い殻貯留部
５３  縁部（５３ｇ  レスト部）
５４  囲壁部
５５  ピン受容穴
５６  受容壁
５７  灰皿底面
５９  指掛け部
６０  収容凹部
６３  支持レール部
６４  区画壁
６５  連結ピン
６６  支持凸部
６７  支持台座（６７ｒ  スペーサーリブ、６７ｓ  脱落防止突起）
６８  底面カバー
６９  指入れ部
７０  灰皿
７３  ガイド突起
７５  掛止溝
７７  係止ピン
８０  収容凹部
８３  ガイド溝
８５  掛止突起
８６  クランプアーム
８７  ピン受容部
１０１  区画壁係合部
１０２  スライド範囲規制部
１０３  レバー挿通孔
１０５  前方転入防止壁
１０６  右側方転入防止壁
１０７  バネ支柱
１１１  弁体収容部
１１２  スライドレール
１１３  レバー挿通部
１１６  左側方転入防止壁
１１８  案内ラベル
１２０  弁体
１２１  本体部
１２２  レール係合部
１２３  レバー嵌合孔
１２４  シャッター部
１２５  後方転入防止壁
１２６  左側方スライド転入防止壁
１２７  スプリング収容部
１３０  操作部材
１３１  レバー部
１３３  嵌合突片
１３５  操作部
１４７  コイルスプリング
１５１  区画壁係合部
１５２  スライド範囲規制部
１５３  レバー挿通孔
１５４  セット凹部
１６１  弁体収容部
１６２  スライドレール
１６３  レバー挿通部
１７０  弁体
１７１  本体部
１７２  レール係合部
１７４  シャッター部
１７５  後方転入防止壁
１８０  操作部材
１８５  操作部
２０１  区画壁係合部
２０６  右側方ガイド壁
２０７  バネ支柱
２１１  弁体収容部
２１２  スライドレール
２１３  操作部ガイド孔
２１４  操作部保護溝
２１５  前方転入防止リブ
２１６  右側方転入防止壁
２２０  弁体
２２１  本体部
２２２  レール係合部
２２４  シャッター部
２２５  後方転入防止壁
２２７  スプリング収容部
２３０  操作部材
２３５  操作部
２４７  コイルスプリング
３０１  区画壁係合部
３０２  支持ブラケット（３０２ｈ  軸支孔）
３０３  操作部材受容溝
３０５  前方転入防止壁
３０６  右側方ガイド壁
３０７  バネ支柱
３１１  弁体収容部
３１２  スライドレール
３１３  操作部ガイド孔
３１４  操作部保護溝
３１６  右側方転入防止壁
３２０  弁体
３２１  本体部
３２２  レール係合部
３２４  シャッター部
３２５  後方転入防止壁
３２６  リンクアーム（３２６ｈ  軸支孔）
３２７  スプリング収容部
３３０  操作部材
３３１  本体プレート部
３３２  ボス部（３３２ｈ  軸受孔）
３３５  操作部
３３６  揺動アーム（３３６ｈ  ピン係合孔）
３４２  枢結ピン
３４６  アーム連結ピン
３４７  コイルスプリング
４０１  区画壁係合部
４０３  操作部材受容溝
４１３  操作部ガイド孔
４３０  操作部材
４３１  本体プレート部
４３２  ボス部（４３２ｈ  軸受孔）
４３５  操作部
４３６  揺動アーム（４３６ｈ  ピン係合孔）
５０１  区画壁係合部
５０２  軸支ボス
５０５ａ  前方転入防止壁
５０５ｂ  後方転入防止壁
５０６  右側方転入防止壁
５０７  バネ固定ボス
５１１  弁体収容部
５１２，５１２′  軸受ボス（５１２ｔ  係合凹部）
５１３  弁体挿通孔
５１６  右側方ガイド壁
５２０  弁体
５２１  本体部（５２１ｒ  スライドリブ）
５２２  軸支フランジ（５２２ｈ  ピン孔）
５２３  アーム受容溝
５２４  シャッター部
５２６  左側方転入防止壁（５２６ｒ  スライド突起）
５２７  掛止フック
５２８  スライド範囲規制突起
５３０  操作部材
５３１  揺動軸
５３３  揺動部材
（５３３ａ  カラー部、５３３ｂ  揺動アーム部、５３３ｈ  ピン係合溝）
５３５，５３５′  操作部
（５３５ａ  ノブ部、５３５ｂ  ハブ部、５３５ｓ  指標部、５３５ｔ  突起部）
５４２  係合ピン
５４３  固定ネジ
５４５  止めネジ
５４７  引っ張りバネ
５４８  バネケース
５４９  止めネジ
６０１  区画壁係合部
６０５ａ  前方転入防止壁
６０５ｂ  後方転入防止壁
６０６  右側方転入防止壁
６０７  ケース側掛止フック
６０８  ケース固定ボス
６１１  弁体収容部
６１２ａ  ハブ挿通孔
６１２ｂ  軸受孔
６１２ｃ  支持フランジ
６１３  弁体挿通孔
６１６  右側方ガイド壁
６２０  弁体
６２１  本体部（６２１ｒ  スライドリブ）
６２２  リンクボス
６２３  アーム受容溝
６２４  シャッター部（６２４ｒ  センターリブ）
６２６  左側方転入防止壁
６２７  弁体側掛止フック
６３０  操作部材
６３１  揺動軸
６３３  揺動部材
（６３３ａ  カラー部、６３３ｂ  揺動アーム部、６３３ｈ  ボス係合溝）
６３５  操作部（６３５ａ  ノブ部、６３５ｂ  ハブ部）
６４２  ネジ
６４３  止めネジ
６４５  止めネジ
６４７  引っ張りバネ
６４８  バネケース
【図１】
2005073971.tif 000003
【図２】
2005073971.tif 000004
【図３】
2005073971.tif 000005
【図４】
2005073971.tif 000006
【図５】
2005073971.tif 000007
【図６】
2005073971.tif 000008
【図７】
2005073971.tif 000009
【図８】
2005073971.tif 000010
【図９】
2005073971.tif 000011
【図１０】
2005073971.tif 000012
【図１１】
2005073971.tif 000013
【図１２】
2005073971.tif 000014
【図１３】
2005073971.tif 000015
【図１４】
2005073971.tif 000016
【図１５】
2005073971.tif 000017
【図１６】
2005073971.tif 000018
【図１７】
2005073971.tif 000019
【図１８】
2005073971.tif 000020
【図１９】
2005073971.tif 000021
【図２０】
2005073971.tif 000022
【図２１】
2005073971.tif 000023
【図２２】
2005073971.tif 000024
【図２３】
2005073971.tif 000025
【図２４】
2005073971.tif 000026
【図２５】
2005073971.tif 000027
【図２６】
2005073971.tif 000028
【図２７】
2005073971.tif 000029
【図２８】
2005073971.tif 000030
【図２９】
2005073971.tif 000031
【図３０】
2005073971.tif 000032
【図３１】
2005073971.tif 000033
【図３２】
2005073971.tif 000034
【図３３】
2005073971.tif 000035
【図３４】
2005073971.tif 000036
【図３５】
2005073971.tif 000037
【図３６】
2005073971.tif 000038
【図３７】
2005073971.tif 000039
【図３８】
2005073971.tif 000040
【図３９】
2005073971.tif 000041
【図４０】
2005073971.tif 000042
【図４１】
2005073971.tif 000043
【図４２】
2005073971.tif 000044
【図４３】
2005073971.tif 000045
【図４４】
2005073971.tif 000046
【図４５】
2005073971.tif 000047
【図４６】
2005073971.tif 000048
【図４７】
2005073971.tif 000049
【図４８】
2005073971.tif 000050
【図４９】
2005073971.tif 000051
【図５０】
2005073971.tif 000052
【図５１】
2005073971.tif 000053
【図５２】
2005073971.tif 000054
【図５３】
2005073971.tif 000055
【図５４】
2005073971.tif 000056
【図５５】
2005073971.tif 000057
【図５６】
2005073971.tif 000058
【図５７】
2005073971.tif 000059
【図５８】
2005073971.tif 000060
【図５９】
2005073971.tif 000061
【図６０】
2005073971.tif 000062
【図６１】
2005073971.tif 000063
【図６２】
2005073971.tif 000064
【図６３】
2005073971.tif 000065
【図６４】
2005073971.tif 000066